(57)【要約】      （修正有）【課題】多数の試薬を配置する場合にも、配置された試薬の詳細情報を容易に表示することが可能な試料分析装置を提供する。【解決手段】この試料分析装置は、複数の試薬が配置される第１試薬テーブルおよび第２試薬テーブルと、表示部４ｂと、第１試薬テーブルおよび第２試薬テーブルにおける各試薬の配置状態に対応して、少なくとも試薬名が記された第１試薬マーク４２１および第２試薬マーク４２２を指定可能に表示する試薬配置表示領域４２０を含む試薬管理画面４１０とともに、指定された試薬マークに対応する試薬に関する詳細情報を表示部４ｂに表示させる制御部とを備える。【選択図】図７
2008070115.tif 000002
【特許請求の範囲】
【請求項１】
試料と試薬とを混合することにより調製された測定試料を分析するための試料分析装置であって、
複数の試薬が配置される試薬配置部と、
表示部と、
前記表示部に表示された表示画面に対して所定の操作を行うための操作部と、
前記試薬配置部における各試薬の配置状態に対応して、少なくとも試薬名が記された各試薬マークを前記操作部によって指定可能に表示する試薬配置表示領域を含む試薬管理画面とともに、前記操作部によって指定された試薬マークに対応する試薬に関する詳細情報を前記表示部に表示させる表示制御部とを備える、試料分析装置。
【請求項２】
前記試薬管理画面は、前記試薬配置表示領域と前記指定された試薬マークに対応する試薬に関する詳細情報を表示する試薬詳細情報表示領域とを含む、請求項１に記載の試料分析装置。
【請求項３】
前記試薬配置部は、複数の試薬を収納した試薬ラックを複数配置可能であり、
前記表示制御部は、前記複数の試薬ラックにそれぞれ収納された各試薬の配置状態に対応して、各試薬マークを表示するように前記表示部を制御する、請求項２に記載の試料分析装置。
【請求項４】
前記表示制御部は、前記試薬配置表示領域において、前記指定された試薬マークを前記指定された試薬マーク以外の試薬マークと識別可能に表示するように前記表示部を制御する、請求項２または３に記載の試料分析装置。
【請求項５】
前記表示制御部は、前記試薬マークに前記試薬の残量を認識可能に表示するように前記表示部を制御する、請求項２〜４のいずれか１項に記載の試料分析装置。
【請求項６】
前記表示制御部は、前記試薬の残量を前記試薬の残量に対応して少なくとも色分け表示するように前記表示部を制御する、請求項５に記載の試料分析装置。
【請求項７】
前記表示制御部は、前記試薬マークに、配置された前記試薬ラックを特定する試薬ラック情報および前記試薬ラックにおける前記試薬マークに対応する試薬の収納位置を示す位置情報を表示するように前記表示部を制御する、請求項３に記載の試料分析装置。
【請求項８】
前記表示制御部は、前記指定された試薬マークに対応する試薬のロット番号を示す試薬ロット情報および前記試薬の有効期限を示す試薬有効期限情報を、前記試薬詳細情報表示領域に表示するように前記表示部を制御する、請求項２〜７のいずれか１項に記載の試料分析装置。
【請求項９】
前記表示制御部は、前記指定された試薬マークに対応する試薬の残テスト数を示す試薬残テスト情報と、前記試薬のセット日を示す試薬セット情報とのうち少なくとも１つを前記試薬詳細情報表示領域に表示するように前記表示部を制御する、請求項２〜７のいずれか１項に記載の試料分析装置。
【請求項１０】
前記試薬配置部は、各試薬を環状に配置可能で、かつ、回転可能であり、
前記試薬配置表示領域は、前記試薬配置部における試薬の環状の配置に対応して、前記試薬マークを環状に表示する、請求項１〜９のいずれか１項に記載の試料分析装置。
【請求項１１】
試料と試薬とを混合することにより調製された測定試料を分析するための試料分析装置であって、
複数の試薬が配置される試薬配置部と、
表示部と、
前記表示部に表示された表示画面に対して所定の操作を行うための操作部と、
前記試薬配置部における試薬の配置領域に対応して、少なくとも試薬名が記された各試薬マークを前記操作部によって指定可能に表示する試薬配置表示領域と、少なくとも前記操作部によって指定された試薬マークに対応して試薬の交換を行うための第１マークを指定可能に表示する操作手段表示領域とを含む試薬管理画面を前記表示部に表示させる表示制御部とを備える、試料分析装置。
【請求項１２】
前記試薬管理画面は、前記指定された試薬マークに対応する試薬の詳細情報を表示する試薬詳細情報表示領域をさらに含む、請求項１１に記載の試料分析装置。
【請求項１３】
前記操作手段表示領域には、前記第１マークに加えて、前記指定された試薬マークに対応する試薬の詳細情報を編集するための第２マークが指定可能に表示される、請求項１２に記載の試料分析装置。
【請求項１４】
前記試薬の詳細情報を編集するための第２マークは、前記試薬の詳細情報を編集するための編集画面を表示させる機能を有する、請求項１３に記載の試料分析装置。
【請求項１５】
前記表示制御部は、前記指定された試薬マークを前記指定された試薬マーク以外の試薬マークと識別可能に表示するように前記表示部を制御する、請求項１１〜１４のいずれか１項に記載の試料分析装置。
【請求項１６】
前記表示制御部は、試薬の交換時において、使用者が前記試薬配置部に配置された試薬を取り出すことが可能な取出可能状態と、前記試薬の交換のための第１マークを指定してから前記取出可能状態になるまでの待機状態とを前記表示部に色分け表示するように前記表示部を制御する、請求項１１〜１５のいずれか１項に記載の試料分析装置。
【請求項１７】
前記試薬配置領域には、前記試薬配置部のうち試薬が配置されていない部分に対応して、前記試薬マークに対して識別可能な試薬未配置マークが指定可能に表示され、
前記少なくとも試薬の交換を行うための第１マークは、前記試薬配置部のうち指定された試薬未配置マークに対応する部分に試薬を追加するための機能も有する、請求項１１〜１６のいずれか１項に記載の試料分析装置。
【請求項１８】
試料と試薬とを混合することにより調製した測定試料を分析するための試料分析装置であって、
複数の試薬を移動可能に配置する試薬配置部と、
表示部と、
前記表示部に表示された表示画面に対して所定の操作を行うための操作部と、
前記試薬配置部における各試薬の配置状態に対応して、少なくとも試薬名が記された各試薬マークを前記操作部によって指定可能に表示する試薬配置表示領域を含む試薬管理画面を前記表示部に表示させる表示制御部とを備え、
前記表示制御部は、前記試薬マークに対応する試薬が分析に使用することが困難である場合に、前記試薬マークに対応する試薬が分析に使用することが困難であることを前記表示部に識別可能に表示させる、試料分析装置。
【発明の詳細な説明】
【技術分野】
【０００１】
この発明は、試料分析装置に関し、特に、配置された試薬の詳細情報を表示する表示画面を備えた試料分析装置に関する。
【背景技術】
【０００２】
従来、配置された試薬の詳細情報を表示する表示画面を備えた試料分析装置が知られている（たとえば、特許文献１参照）。
【０００３】
この特許文献１に記載の試料分析装置では、試薬が表示画面上で指定されると、指定された試薬の状態を確認し、その確認結果（詳細情報）が表示画面上に表示されるように構成されている。また、特許文献１に記載の試料分析装置では、試薬ストッカーが模式的に表示画面に表示されるとともに、試薬ストッカーに設置されている各試薬ボトルの項目名、残量（回数）、ロット番号またはシリアル番号などの詳細情報を表示画面上で確認できるようになっている。
【０００４】
【特許文献１】特開２００１−１３３４６２号公報
【発明の開示】
【発明が解決しようとする課題】
【０００５】
近年、上記したような試料分析装置において、測定項目数の増加や処理速度の向上のために、試料分析装置に配置する試薬の数が数十〜百個前後に増加する傾向にある。そのため、表示画面上で、試薬の配置、項目名、またはロット番号などの詳細情報を容易に確認できることが望まれている。
【０００６】
しかしながら、上記特許文献１に記載の試料分析装置では、配置された全ての試薬の詳細情報を表示するように構成されている一方、表示画面の表示領域の広さには限りがあるため、多数の試薬を配置する場合に、配置された全ての試薬の詳細情報を表示することが困難であるという問題点がある。
【０００７】
この発明は、上記のような課題を解決するためになされたものであり、この発明の１つの目的は、多数の試薬を配置する場合にも、配置された試薬の詳細情報を容易に表示することが可能な試料分析装置を提供することである。
【課題を解決するための手段および発明の効果】
【０００８】
この発明の第１の局面による試料分析装置は、試料と試薬とを混合することにより調製された測定試料を分析するための試料分析装置であって、複数の試薬が配置される試薬配置部と、表示部と、表示部に表示された表示画面に対して所定の操作を行うための操作部と、試薬配置部における各試薬の配置状態に対応して、少なくとも試薬名が記された各試薬マークを操作部によって指定可能に表示する試薬配置表示領域を含む試薬管理画面とともに、操作部によって指定された試薬マークに対応する試薬に関する詳細情報を表示部に表示させる表示制御部とを備える。
【０００９】
この第１の局面による試料分析装置では、上記のように、試薬配置部における各試薬の配置状態に対応して、少なくとも試薬名が記された各試薬マークを操作部によって指定可能に表示する試薬配置表示領域を含む試薬管理画面とともに、操作部によって指定された試薬マークに対応する試薬に関する詳細情報を表示部に表示させることによって、試薬配置表示領域に表示された試薬マークを指定することにより、指定した試薬マークに対応する試薬の詳細情報のみを表示部に表示させることができる。これにより、試薬の詳細情報を表示する領域を試薬の個数分設ける必要がないので、試薬の詳細情報を表示する領域が試薬管理画面に占める割合を一定の大きさにすることができる。このため、多数の試薬を配置する場合にも、試薬配置部に配置された試薬の詳細情報を容易に表示することができる。
【００１０】
上記第１の局面による試料分析装置において、好ましくは、試薬管理画面は、試薬配置表示領域と指定された試薬マークに対応する試薬に関する詳細情報を表示する試薬詳細情報表示領域とを含む。このように構成すれば、試薬詳細情報表示領域に指定した試薬マークに対応する試薬に関する詳細情報を表示させることができる。
【００１１】
この場合、好ましくは、試薬配置部は、複数の試薬を収納した試薬ラックを複数配置可能であり、表示制御部は、前記複数の試薬ラックにそれぞれ収納された各試薬の配置状態に対応して、各試薬マークを表示するように表示部を制御する。このように構成すれば、使用者は、試薬配置部における複数の試薬ラックに収容されている試薬の配置を表示部により確認することができる。これにより、使用者は、より容易に試薬の管理を行うことができる。
【００１２】
上記試薬管理画面が試薬配置領域と試薬詳細情報表示領域とを含む構成において、好ましくは、表示制御部は、試薬配置表示領域において、指定された試薬マークを指定された試薬マーク以外の試薬マークと識別可能に表示するように表示部を制御する。このように構成すれば、使用者は、現在指定している試薬を、指定している試薬以外の試薬に対して、容易に識別することができる。なお、指定された試薬マークと指定された試薬マーク以外の試薬マークとを色、形状などによって識別可能にするように表示部を制御することができる。
【００１３】
上記試薬管理画面が試薬配置領域と試薬詳細情報表示領域とを含む構成において、好ましくは、表示制御部は、試薬マークに試薬の残量を認識可能に表示するように表示部を制御する。このように構成すれば、使用者は、試薬の残量が所定量以下になったことを表示部における表示により認識することができる。
【００１４】
この場合、好ましくは、表示制御部は、試薬の残量を試薬の残量に対応して少なくとも色分け表示するように表示部を制御する。このように構成すれば、使用者は、色の違いにより、試薬残量の違いを認識することができる。
【００１５】
上記各試薬ラックに収納された各試薬の配置状態に対応して、各試薬マークを表示する構成において、好ましくは、表示制御部は、試薬マークに、配置された試薬ラックを特定する試薬ラック情報および試薬ラックにおけるこの試薬マークに対応する試薬の収納位置を示す位置情報を表示するように表示部を制御する。このように構成すれば、使用者は、試薬ラック情報および位置情報により、試薬がどの試薬ラックのどの収納位置に配置されているのかを正確に知ることができる。
【００１６】
上記試薬管理画面が試薬配置領域と試薬詳細情報表示領域とを含む構成において、好ましくは、表示制御部は、指定された試薬マークに対応する試薬のロット番号を示す試薬ロット情報および試薬の有効期限を示す試薬有効期限情報を、試薬詳細情報表示領域に表示するように表示部を制御する。このように構成すれば、使用者は、試薬マークを指定することにより、指定した試薬の試薬ロット番号および有効期限を試薬詳細情報表示領域において確認することができる。
【００１７】
上記試薬管理画面が試薬配置領域と試薬詳細情報表示領域とを含む構成において、好ましくは、表示制御部は、指定された試薬マークに対応する試薬の残テスト数を示す試薬残テスト情報と、試薬のセット日を示す試薬セット情報とのうち少なくとも１つを試薬詳細情報表示領域に表示するように表示部を制御する。このように構成すれば、使用者は、試薬マークを指定することにより、指定した試薬マークに対応する試薬の残テスト数を示す試薬残テスト情報と、試薬のセット日またはセット時刻の少なくとも一方を示す試薬セット情報とのうち少なくとも１つを試薬詳細情報表示領域において確認することができる。これにより、使用者は、たとえば、試薬の交換時期などを判断することができる。
【００１８】
上記第１の局面による試料分析装置において、好ましくは、試薬配置部は、各試薬を環状に配置可能で、かつ、回転可能であり、試薬配置表示領域には、試薬配置部における試薬の環状の配置に対応して、試薬マークが環状に表示される。このように構成すれば、実際の試薬配置部における試薬の環状の配置と同様の試薬マークの環状の配置を試薬配置表示領域において確認することができるので、使用者は、容易に、試薬の配置を認識することができる。
【００１９】
この発明の第２の局面による試料分析装置は、試料と試薬とを混合することにより調製した測定試料を分析するための試料分析装置であって、複数の試薬を移動可能に配置する試薬配置部と、表示部と、表示部に表示された表示画面に対して所定の操作を行うための操作部と、試薬配置部における各試薬の配置状態に対応して、少なくとも試薬名が記された各試薬マークを操作部によって指定可能に表示する試薬配置表示領域と、少なくとも操作部によって指定された試薬マークに対応して試薬の交換を行うための第１マークを指定可能に表示する操作手段表示領域とを含む試薬管理画面を前記表示部に表示させる表示制御部とを備える。
【００２０】
この第２の局面による試料分析装置では、上記のように、試薬名が記された各試薬マークを指定可能に表示する試薬配置表示領域と、少なくとも操作部によって指定された試薬マークに対応して試薬の交換を行うための第１マークを表示する操作手段表示領域とを試薬管理画面に設けることによって、試薬管理画面の試薬配置表示領域において試薬を指定した後、同じ試薬管理画面の操作手段表示領域において、指定した試薬の交換を行うための第１マークにより試薬の交換を行うことができる。これにより、使用者は、容易に、試薬の交換を行うことができる。
【００２１】
上記第２の局面による試料分析装置において、好ましくは、試薬管理画面は、指定された試薬マークに対応する試薬の詳細情報を表示する試薬詳細情報表示領域をさらに含む。このように構成すれば、試薬管理画面の試薬配置表示領域において試薬マークを指定することにより、同じ試薬管理画面の試薬詳細情報表示領域に、指定した試薬マークに対応する試薬の詳細情報が表示される。これにより、使用者は、容易に、指定した試薬の詳細情報を確認することができる。
【００２２】
この場合、好ましくは、操作手段表示領域には、第１マークに加えて、指定された試薬マークに対応する試薬の詳細情報を編集するための第２マークが指定可能に表示される。このように構成すれば、使用者は、試薬管理画面の試薬詳細情報表示領域に表示される試薬の詳細情報を、同じ試薬管理画面の操作手段表示領域に表示される第２マークを指定することにより編集することができる。これにより、使用者の利便性を向上させることができる。
【００２３】
上記操作手段表示領域に、試薬詳細情報表示領域に表示される試薬の詳細情報を編集するための第２マークが表示される構成において、好ましくは、試薬の詳細情報を編集するための第２マークは、試薬の詳細情報を編集するための編集画面を表示させる機能を有する。このように構成すれば、使用者は、編集画面により試薬の詳細情報を容易に編集することができる。
【００２４】
上記第２の局面による試料分析装置において、好ましくは、表示制御部は、指定された試薬マークを指定された試薬マーク以外の試薬マークと識別可能に表示するように表示部を制御する。このように構成すれば、使用者は、現在指定している試薬を、指定している試薬以外の試薬に対して、容易に識別することができる。
【００２５】
上記第２の局面による試料分析装置において、好ましくは、表示制御部は、試薬の交換時において、使用者が試薬配置部に配置された試薬を取り出すことが可能な取出可能状態と、試薬の交換のための第１マークを指定してから取出可能状態になるまでの待機状態とを色分け表示するように表示部を制御する。このように構成すれば、使用者は、表示部の色分け表示により、取出可能状態と待機状態とを判断することができるので、容易に試薬の交換を行うことができる。
【００２６】
上記第２の局面による試料分析装置において、好ましくは、試薬配置領域には、試薬配置部のうち試薬が配置されていない部分に対応して、試薬マークに対して識別可能な試薬未配置マークが指定可能に表示され、少なくとも試薬の交換を行うための第１マークは、試薬配置部のうち指定された試薬未配置マークに対応する部分に試薬を追加するための機能も有する。このように構成すれば、使用者は、試薬未配置マークを指定して、第１マークを押すことにより、試薬配置部のうち試薬が配置されていない部分に試薬を追加することができる。
【００２７】
この発明の第３の局面による試料分析装置は、試料と試薬とを混合することにより調製した測定試料を分析するための試料分析装置であって、複数の試薬を移動可能に配置する試薬配置部と、表示部と、表示部に表示された表示画面に対して所定の操作を行うための操作部と、試薬配置部における各試薬の配置状態に対応して、少なくとも試薬名が記された各試薬マークを操作部によって指定可能に表示する試薬配置表示領域を含む試薬管理画面を表示部に表示させる表示制御部とを備え、表示制御部は、試薬マークに対応する試薬が分析に使用することが困難である場合に、試薬マークに対応する試薬が分析に使用することが困難であることを表示部に識別可能に表示させる。
【００２８】
この第３の局面による試料分析装置では、上記のように、試薬マークに対応する試薬が分析に使用することが困難である場合に、試薬マークに対応する試薬が分析に使用することが困難であることを表示部に識別可能に表示することによって、使用者は、分析に使用することが困難である試薬を、表示部により確認することができる。これにより、分析に使用することが困難である試薬を新しい試薬と交換するなどの試薬の管理を容易に行うことができる。
【発明を実施するための最良の形態】
【００２９】
以下、本発明を具体化した実施形態を図面に基づいて説明する。
【００３０】
図１〜図５は、本発明の一実施形態による試料分析装置の全体構成を示す図である。図６は、本発明の一実施形態による試料分析装置の制御装置を説明するための図である。図７〜図１２は、本発明の一実施形態による試料分析装置の表示部に表示される画面を説明するための図である。図１３〜図１６は、本発明の一実施形態による試料分析装置の試薬容器ラックおよび試薬容器を示す斜視図である。図１７および図１８は、本発明の一実施形態による試料分析装置の詳細を説明するためのブロック図である。まず、図１〜図１８を参照して、本発明の一実施形態による試料分析装置１の構造を説明する。
【００３１】
本発明の一実施形態による試料分析装置１は、血液の凝固・線溶機能に関連する特定の物質の量や活性の度合いを光学的に測定して分析するための装置であり、検体としては血漿を用いる。本実施形態による試料分析装置１では、凝固時間法、合成基質法および免疫比濁法を用いて検体の光学的な測定（本測定）を行っている。本実施形態で用いる凝固時間法は、検体が凝固する過程を透過光の変化として検出する測定方法である。そして、測定項目としては、ＰＴ（プロトロンビン時間）、ＡＰＴＴ（活性化部分トロンボプラスチン時間）やＦｂｇ（フィブリノーゲン量）などがある。また、合成基質法の測定項目としてはＡＴＩＩＩ等、免疫比濁法の測定項目としてはＤダイマー、ＦＤＰ等がある。
【００３２】
そして、試料分析装置１は、図１および図２に示すように、測定機構部２と、測定機構部２の前面側に配置された検体搬送機構部３と、測定機構部２に電気的に接続された制御装置４とにより構成されている。また、測定機構部２には、測定を行う際の検体の容器となるキュベット２００（図４参照）を投入するキュベット投入部５が設けられている。キュベット投入部５には、開閉可能な蓋５ａと、キュベット投入部５の中を視認可能な窓５ｂとが設けられている。また、キュベット投入部５の前面側には、緊急停止ボタン１ａと、測定開始ボタン１ｂとが設けられている。蓋５ａ（図１参照）は、後述するキュベット供給機構部１６０の第１ホッパ１６１ａ（図４参照）にキュベット２００を投入するために設けられている。また、ユーザは、窓５ｂから第１ホッパ１６１ａ（図４参照）に貯留されているキュベット２００の残量を視認することが可能である。緊急停止ボタン１ａ（図１参照）は、緊急の場合に測定を停止させる機能を有する。測定開始ボタン１ｂ（図１参照）は、押すことにより、測定が開始されるように構成されている。これにより、ユーザは、キュベット２００を投入した後、直ぐに測定を開始することが可能である。なお、制御装置４の操作によっても測定の開始および停止が可能である。
【００３３】
制御装置４は、パーソナルコンピュータ４０１（ＰＣ）などからなり、図１および図２に示すように、制御部４ａと、表示部４ｂと、キーボード４ｃとを含んでいる。制御部４ａは、後述する測定機構部２の制御部５０１に測定機構部２の動作開始信号を送信するとともに、測定機構部２で得られた検体の光学的な情報を分析するための機能を有している。この制御部４ａは、ＣＰＵ、ＲＯＭ、ＲＡＭなどからなる。また、表示部４ｂは、検体中に存在する干渉物質（ヘモグロビン、乳び（脂質）およびビリルビン）に関する情報と、制御部４ａで得られた分析結果とを表示するために設けられている。
【００３４】
次に、制御装置４の構成について詳細に説明する。制御部４ａは、図６に示すように、ＣＰＵ４０１ａと、ＲＯＭ４０１ｂと、ＲＡＭ４０１ｃと、ハードディスク４０１ｄと、読出装置４０１ｅと、入出力インタフェース４０１ｆと、通信インタフェース４０１ｇと、画像出力インタフェース４０１ｈとから主として構成されている。ＣＰＵ４０１ａ、ＲＯＭ４０１ｂ、ＲＡＭ４０１ｃ、ハードディスク４０１ｄ、読出装置４０１ｅ、入出力インタフェース４０１ｆ、通信インタフェース４０１ｇ、および画像出力インタフェース４０１ｈは、バス４０１ｉによって接続されている。
【００３５】
ＣＰＵ４０１ａは、ＲＯＭ４０１ｂに記憶されているコンピュータプログラムおよびＲＡＭ４０１ｃにロードされたコンピュータプログラムを実行することが可能である。そして、後述するようなアプリケーションプログラム４０４ａをＣＰＵ４０１ａが実行することにより、コンピュータ４０１が制御装置４として機能する。
【００３６】
ＲＯＭ４０１ｂは、マスクＲＯＭ、ＰＲＯＭ、ＥＰＲＯＭ、ＥＥＰＲＯＭなどによって構成されており、ＣＰＵ４０１ａに実行されるコンピュータプログラムおよびこれに用いるデータなどが記録されている。
【００３７】
ＲＡＭ４０１ｃは、ＳＲＡＭまたはＤＲＡＭなどによって構成されている。ＲＡＭ４０１ｃは、ＲＯＭ４０１ｂおよびハードディスク４０１ｄに記録されているコンピュータプログラムの読み出しに用いられる。また、これらのコンピュータプログラムを実行するときに、ＣＰＵ４０１ａの作業領域として利用される。
【００３８】
ハードディスク４０１ｄは、オペレーティングシステムおよびアプリケーションプログラムなど、ＣＰＵ４０１ａに実行させるための種々のコンピュータプログラムおよびそのコンピュータプログラムの実行に用いるデータがインストールされている。本実施形態に係る干渉物質の有無や濃度を算出するためのアプリケーションプログラム４０４ａも、このハードディスク４０１ｄにインストールされている。また、本実施形態では、後述する試薬マスタ、試薬ロットマスタおよび容器マスタなどのテーブルは、このハードディスク４０１ｄに記憶されている。
【００３９】
読出装置４０１ｅは、フレキシブルディスクドライブ、ＣＤ−ＲＯＭドライブ、またはＤＶＤ−ＲＯＭドライブなどによって構成されており、可搬型記録媒体４０４に記録されたコンピュータプログラムまたはデータを読み出すことができる。また、可搬型記録媒体４０４には、本実施形態に係るアプリケーションプログラム４０４ａが格納されており、コンピュータ４０１がその可搬型記録媒体４０４からアプリケーションプログラム４０４ａを読み出し、そのアプリケーションプログラム４０４ａをハードディスク４０１ｄにインストールすることが可能である。
【００４０】
なお、上記アプリケーションプログラム４０４ａは、可搬型記録媒体４０４によって提供されるのみならず、電気通信回線（有線、無線を問わない）によってコンピュータ４０１と通信可能に接続された外部の機器から上記電気通信回線を通じて提供することも可能である。たとえば、上記アプリケーションプログラム４０４ａがインターネット上のサーバコンピュータのハードディスク内に格納されており、このサーバコンピュータにコンピュータ４０１がアクセスして、そのアプリケーションプログラム４０４ａをダウンロードし、これをハードディスク４０１ｄにインストールすることも可能である。
【００４１】
また、ハードディスク４０１ｄには、たとえば、米マイクロソフト社が製造販売するＷｉｎｄｏｗｓ（登録商標）などのグラフィカルユーザインタフェース環境を提供するオペレーティングシステムがインストールされている。以下の説明においては、本実施形態に係るアプリケーションプログラム４０４ａは上記オペレーティングシステム上で動作するものとしている。
【００４２】
入出力インタフェース４０１ｆは、たとえば、ＵＳＢ、ＩＥＥＥ１３９４、ＲＳ−２３２Ｃなどのシリアルインタフェース、ＳＣＳＩ、ＩＤＥ、ＩＥＥＥ１２８４などのパラレルインタフェース、およびＤ／Ａ変換器、Ａ／Ｄ変換器などからなるアナログインタフェースなどから構成されている。入出力インタフェース４０１ｆには、キーボード４ｃが接続されており、ユーザがそのキーボード４ｃを使用することにより、コンピュータ４０１にデータを入力することが可能である。
【００４３】
通信インタフェース４０１ｇは、たとえば、Ｅｔｈｅｒｎｅｔ（登録商標）インタフェースである。コンピュータ４０１は、その通信インタフェース４０１ｇにより、所定の通信プロトコルを使用して測定機構部２との間でデータの送受信が可能である。
【００４４】
画像出力インタフェース４０１ｈは、ＬＣＤまたはＣＲＴなどで構成された表示部４ｂに接続されており、ＣＰＵ４０１ａから与えられた画像データに応じた映像信号を表示部４ｂに出力するようになっている。表示部４ｂは、入力された映像信号にしたがって、画像（画面）を表示する。
【００４５】
ここで、本実施形態では、表示部４ｂは、図７に示すように、後述する試薬保存部６の試薬の配置を表示する試薬管理画面４１０を表示することが可能である。試薬管理画面４１０は、試薬配置表示領域４２０と、試薬詳細情報表示領域４３０と、操作手段表示領域
４４０とを有する。また、試薬管理画面４１０には、試料分析装置１の測定を開始するための測定開始ボタン４１１と、測定を停止するための測定停止ボタン４１２とが設けられている。なお、表示部４ｂは、タッチパネル機能を有し、試薬管理画面４１０に表示されるボタンなどをユーザが直接触れることによって選択または操作可能である。
【００４６】
試薬配置表示領域４２０には、後述する内側の第１試薬テーブル１１に配置されている試薬の配置状態に対応して表示される最大１０個の第１試薬マーク４２１と、後述する外側の第２試薬テーブル１２に配置されている試薬の配置状態に対応して表示される最大３０個の第２試薬マーク４２２と、後述する希釈液または洗浄液の配置状態に対応して表示される最大５個の希釈・洗浄液マーク４２３とが指定可能に表示される。第１試薬マーク４２１は、試薬の位置を表示する位置表示部４２１ａと、試薬名を表示する試薬名表示部４２１ｂと、試薬の残量を表示する残量インジケータ４２１ｃとを含む。また、第２試薬マーク４２２は、試薬の位置を表示する位置表示部４２２ａと、試薬名を表示する試薬名表示部４２２ｂと、試薬の残量を表示する残量インジケータ４２２ｃとを含む。なお、残量インジケータ４２１ｃおよび４２２ｃは、試薬の残量が所定量以下になった場合にのみ表示される。また、希釈・洗浄液マーク４２３は、希釈液・洗浄液の位置を表示する位置表示部４２３ａと、希釈液・洗浄液の液名を表示する液名表示部４２３ｂと、希釈液・洗浄液の残量を表示する残量インジケータ（図示せず）とを含む。
【００４７】
ここで、本実施形態では、指定された第１試薬マーク４２１、第２試薬マーク４２２または希釈・洗浄液マーク４２３は、指定された試薬マーク（第１試薬マーク４２１、第２試薬マーク４２２または希釈・洗浄液マーク４２３）以外の試薬マークまたは希釈・洗浄液マークと識別可能に表示される。たとえば、図７に示すように、指定されていない試薬マークの試薬名表示部の試薬名に対する背景は、たとえば、白色（ハッチング（斜線）なしで図示）に表示されるのに対して、指定された試薬マークの試薬名表示部の試薬名（たとえば、第２試薬マーク４２２のＳＨＰ）に対する背景は、たとえば、青色（ハッチング（斜線）ありで図示）に表示される。
【００４８】
第１試薬マーク４２１および第２試薬マーク４２２の位置表示部４２１ａおよび４２２ａに表示される試薬の位置情報（ホルダ番号）は、後述する第１試薬容器ラック３１０のバーコード３１１ｂ、３１２ｂ（図１５参照）および第２試薬容器ラック３２０のバーコード３２１ｂ〜３２６ｂ（図１６参照）をバーコードリーダ３５０により読み取ることによって表示される。また、試薬名表示部４２１ｂおよび４２２ｂに表示される試薬名は、試薬を収容した試薬容器３００のバーコード３００ａをバーコードリーダ３５０（図５参照）により読み取った値を元に、後述する試薬マスタ（テーブル）を参照して表示される。また、希釈・洗浄液マークの位置表示部４２３ａは、希釈液または洗浄液を収容した希釈・洗浄液容器（図示せず）を保持するための緊急検体セット部１４０の保持部１４１（図５参照）が試料分析装置１に固定されているため、常に表示されている。また、液名表示部４２３ｂは、希釈液または洗浄液を収容した希釈・洗浄液容器（図示せず）のバーコード（図示せず）をバーコードリーダ３５１により読み取った値を元に、後述する試薬マスタ（テーブル）を参照して表示される。
【００４９】
ここで、本実施形態では、残量インジケータ４２１ｃおよび４２２ｃに表示される試薬の残量は、試薬容器３００のバーコード３００ａをバーコードリーダ３５０により読み取った値を元に容器マスタ（テーブル）を参照して特定する試薬容器３００の形状と、試薬容器３００に収容されている試薬の液面の高さとにより算出される。そして、算出された試薬の残量が所定量以下である場合には、試薬の残量が、残量インジケータ４２１ｃおよび４２２ｃに残量に対応して色分けされて警告表示される。たとえば、試薬の残量が、警告残量以下の場合には、残量インジケータ４２１ｃおよび４２２ｃに所定の色（たとえば、黄色（図７の「Ａ１３−４」では左斜めハッチングで図示））が表示される。また、試
薬の残量が上記警告残量よりも少ない測定中止残量以下の場合には、残量インジケータ４２１ｃおよび４２２ｃに所定の色（たとえば、赤色（図７の「Ａ１３−３」では右斜めハッチングで図示））が表示される。なお、試薬の残量が警告残量よりも多い場合には、残量インジケータ４２１ｃおよび４２２ｃは表示されない。また、試薬テーブルに配置されてから一度も使用されていない試薬に対しては、試薬の残量が不明であるため、その試薬に対応する試薬マークの残量インジケータには、所定の色（たとえば、灰色（図１０の「Ｂ１１−２」ではハッチングなしの領域として図示））が表示される。この残量インジケータ４２１ｃおよび４２２ｃにおける残量表示については、後に詳細に説明する。
【００５０】
なお、希釈・洗浄液マーク４２３の残量インジケータ（図示せず）に表示される希釈液または洗浄液の残量は、希釈液または洗浄液を収容した希釈・洗浄液容器（図示せず）のバーコード（図示せず）をバーコードリーダ３５１により読み取った値を元に容器マスタ（テーブル）を参照して特定する希釈・洗浄液容器の形状と、希釈・洗浄液容器に収容されている希釈液または洗浄液の液面の高さとにより算出される。
【００５１】
また、第１試薬マーク４２１は、第１試薬テーブル１１（図５参照）に配置される２つの試薬容器３００を保持可能な５つの第１試薬容器ラック３１０（図５参照）に対応する第１ラックマーク４２４毎に２つずつ分割されて表示される。また、第２試薬マーク４２２は、第２試薬テーブル１２（図５参照）に配置される６つの試薬容器３００を保持可能な５つの第２試薬容器ラック３２０（図５参照）に対応する第２ラックマーク４２５毎に６つずつ分割されて表示される。すなわち、試薬管理画面４１０では、どの試薬テーブル（第１試薬テーブル１１または第２試薬テーブル１２）の、どの試薬容器ラック（第１試薬容器ラック３１０または第２試薬容器ラック３２０）の、どの位置に試薬が配置されているかを確認することが可能である。
【００５２】
また、試薬容器ラックが試薬テーブルに配置されていない場合には、試薬容器ラックが配置されていない部分に対応する領域に、内側に何も表示されない円形のラック未配置マーク４２６が表示される。また、第１試薬容器ラック３１０または第２試薬容器ラック３２０が第１試薬テーブル１１または第２試薬テーブル１２に配置されており、試薬容器ラックに保持される試薬容器３００がない場合には、試薬が配置されていない部分に対応する領域に、試薬未配置マーク４２７が表示される。この試薬未配置マーク４２７は、試薬が配置されていない部分の位置情報（ホルダ番号）を表示する位置表示部４２７ａを有する。この点については、後に詳細に説明する。
【００５３】
また、第１試薬マーク４２１、第２試薬マーク４２２、ラック未配置マーク４２６および試薬未配置マーク４２７のうち、所定の位置に位置するマークは、マークの外周が所定の色（たとえば、茶色（図中では太線で図示））で表示される。この外周が茶色で表示されたマークＡは、その位置に配置された試薬を攪拌することが可能であることを示す。攪拌が必要な試薬は、外周が茶色で表示されたマークＡの位置に配置される。
【００５４】
また、本実施形態では、攪拌が必要な試薬が、上記外周が茶色で表示されたマークＡの位置に配置されていない場合には、攪拌が必要な試薬の試薬マークに誤配置マークＢ（たとえば、赤色の×印）が表示される。また、後述する有効期限が切れた試薬の試薬マークには、有効期限切れマークＣ（たとえば、赤色（図中では太線で図示）の１本の斜線）が表示される。試料分析装置１は、誤配置マークまたは有効期限切れマークが表示されている試薬マークに対応する試薬を測定に使用しないように構成されている。また、後述する試薬のセット日およびセット時刻から所定の時間（たとえば、８時間）経過した試薬の試薬マークには、安定時間切れマークＤ（たとえば、黄色（図中では白抜きの線で図示）の１本の斜線）が表示される。また、試薬容器３００のバーコード３００ａのバーコードリーダ３５０による読み取りが失敗した場合には、読み取りが失敗した試薬容器に収容され
ている試薬の試薬マークにバーコード読取エラーマークＥ（たとえば、「？」マーク）が表示される。
【００５５】
また、試薬詳細情報表示領域４３０には、指定された第１試薬マーク４２１または第２試薬マーク４２２に対応する試薬の詳細情報（ホルダ番号、試薬名、使用順、使用可能な残量（使用可能量）、残テスト数、攪拌の有無、ロット番号、試薬容器の種類、試薬の有効期限、セット日およびセット時刻など）が表示される。より詳細には、「ホルダ番号」の欄には、指定された試薬マークの位置表示部に表示されている試薬の位置情報が表示される。「試薬名」の欄には、指定された試薬マークの試薬名表示部と同様に、試薬容器３００のバーコード３００ａをバーコードリーダ３５０により読み取った値を元に、試薬マスタを参照して特定した試薬名が表示される。「使用順」の欄には、同じ試薬が試薬テーブルに複数配置されている場合に測定において使用する順番が表示される。「使用可能量」の欄には、指定された試薬マークに対応する試薬の残量が表示される。「残テスト数」の欄には、「使用可能量」を１回の測定で使用される試薬量で割った値が表示される。「攪拌」の欄には、指定された試薬マークに対応する試薬が、攪拌される必要があるか否かが表示される。「ロット番号」の欄には、試薬容器３００のバーコード３００ａをバーコードリーダ３５０により読み取った値を元に、試薬ロットマスタを参照して特定したロット番号が表示される。「容器種類」の欄には、試薬容器３００のバーコード３００ａをバーコードリーダ３５０により読み取った値を元に、容器マスタを参照して特定した容器の種類が表示される。「有効期限」の欄には、試薬容器３００のバーコード３００ａをバーコードリーダ３５０により読み取った値を元に、試薬ロットマスタを参照して特定したロット番号に対応する有効期限が表示される。「セット日」の欄および「セット時刻」の欄には、指定した試薬マークに対応する試薬を試料分析装置１にセットした日時が表示される。この試薬の詳細情報によって、ユーザは、試薬の交換時期の判断などの試薬の管理を行うことが可能である。また、バーコードの読み取りが失敗して、試薬の詳細情報が表示されない場合には、試薬の詳細情報は、後述する試薬情報編集ボタン４４０ｂおよび試薬情報編集ダイアログ４５０によって編集可能である。この試薬詳細情報表示領域４３０における試薬の詳細情報の表示に関しては、後に詳細に説明する。
【００５６】
また、試薬詳細情報表示領域４３０には、「交換済み」ボタン４３１が設けられている。この「交換済み」ボタン４３１は、試薬を交換した際に、交換した試薬を試料分析装置１が認識しなかった場合に、手動で試薬の交換が行われたことを試料分析装置１に認識させる機能を有する。「交換済み」ボタン４３１を押すことにより、試薬詳細情報表示領域４３０の「セット日」および「セット時刻」が、「交換済み」ボタン４３１を押した時刻に更新される。
【００５７】
また、操作手段表示領域４４０は、試薬の交換または追加を指示するための交換・追加指示ボタン４４０ａと、試薬情報の編集を行うための編集ボタン４４０ｂと、測定項目に試薬ロットを割り当てるための試薬ロット設定ボタン４４０ｃと、試薬マスタ設定ボタン４４０ｄと、試薬ロットマスタ設定ボタン４４０ｅと、容器マスタ設定ボタン４４０ｆとを含む。
【００５８】
ここで、本実施形態では、第１試薬マーク４２１または第２試薬マーク４２２が指定された状態で、交換・追加指示ボタン４４０ａが選択されることによって、指定された試薬マークに対応する試薬が収容された試薬容器３００を保持する第１試薬容器ラック３１０または第２試薬容器ラック３２０が、試料分析装置１から取出可能な取出位置に移動されるように構成されている。なお、試薬の追加が行われる場合には、試薬未配置マーク４２７が指定された状態で、交換・追加指示ボタン４４０ａが選択される。これにより、指定された試薬未配置マークを含むラックマークに対応する第１試薬容器ラック３１０または第２試薬容器ラック３２０が取出位置に移動されるように構成されている。また、同様に、希釈・洗浄液マーク４２３が指定された状態で、交換・追加ボタン４４０ａが選択されることにより、希釈液または洗浄液を交換または追加することが可能である。
【００５９】
また、本実施形態では、試薬の交換または追加の際、交換・追加ボタン４４０ａが押されてから、指定された第１試薬マーク４２１、第２試薬マーク４２２または試薬未配置マーク４２７を含むラックマークに対応する試薬容器ラックが取出位置に移動するまでの待機状態と、上記試薬容器ラックが取出位置から外部に取り出し可能な取出可能状態とをユーザに識別可能に色分け表示する機能を有する。すなわち、図８に示すように、待機状態においては、指定した第１試薬マーク４２１、第２試薬マーク４２２または試薬未配置マーク４２７を含む第１ラックマーク４２４または第２ラックマーク４２５が所定の色（たとえば、黄色）に表示される。図８では、「Ｂ１１−２」の試薬が交換対象であり、「Ｂ１１−２」の試薬を含むラックマークが所定の色（たとえば、黄色（図８では、左斜めハッチングで図示））に表示されている。また、図９に示すように、取出可能状態においては、上記第１ラックマーク４２４または第２ラックマーク４２５が所定の色（たとえば、緑色）に表示される。図９では、「Ｂ１１−２」の試薬を含むラックマークが所定の色（たとえば、緑色（図９では、右斜めハッチングで図示））に表示されている。なお、試薬の交換または追加に関しては、後に詳細に説明する。
【００６０】
また、本実施形態では、試薬マークが指定された状態で、試薬情報編集ボタン４４０ｂを押すことにより、指定された試薬マークに対応する試薬の詳細情報を編集することが可能である。具体的には、図１１に示すように、試薬編集ボタン４４０ｂを押すことにより、試薬情報編集ダイアログ４５０が表示されるように構成されている。試薬情報編集ダイアログ４５０は、上記詳細情報の各項目（「ロット番号」、「セット日」、「有効期限」など）の変更を行う設定変更作業領域４５１と、更新ボタン４５２と、キャンセルボタン４５３とを有する。ユーザが設定変更作業領域４５１において詳細情報の編集を行った後、更新ボタン４５２を押すことにより、編集後の詳細情報が試薬詳細情報表示領域４３０に反映されるように構成されている。また、キャンセルボタン４５３を押すことにより、詳細情報の編集がキャンセルされるように構成されている。この試薬の詳細情報の編集については、後に詳細に説明する。
【００６１】
また、試薬ロット使用設定ボタン４４０ｃは、測定項目毎に、複数の試薬ロット、もしくは複数の試薬ロットの組み合わせに対して、それぞれのロット、もしくはロットの組み合わせが使用可能かどうかを設定するための試薬ロット使用設定ダイアログ４６０を表示させる機能を有する。その具体例を図１２を参照して説明する。図１２では、測定項目「Ｆ．ＩＩ」に使用される試薬として「ＰＴ  ＴＨＳ」と「Ｆ．ＩＩ」とを使用する場合が示されている。試薬「Ｆ．ＩＩ」は、ロット番号「５００５０９」〜「５００５１２」の４つが使用可能であり、試薬「ＰＴ  ＴＨＳ」は、ロット番号「５０５７４８」の１つが使用可能である。すなわち、図１１では、測定項目「Ｆ．ＩＩ」を測定する際には、試薬「ＰＴ  ＴＨＳ」と試薬「Ｆ．ＩＩ」との組み合わせとして４種類の組み合わせがある。ユーザは、４種類の組み合わせのうち、どの組み合わせを測定に使用するかを試薬ロット使用設定ダイアログ４６０で設定することが可能である。また、チェックボックス「使用する」は、対応する試薬の組み合わせが精度管理測定および検量線測定に使用するか否かを設定する機能を有する。また、チェックボックス「バリデート」は、対応する試薬の組み合わせを通常検体測定に使用するか否かを設定する機能を有する。すなわち、図１１の例では、試薬「ＰＴ  ＴＨＳ」（ロット番号５０５７４８）と試薬「Ｆ．ＩＩ」（ロット番号５００５１２）との組み合わせは、精度管理測定および検量線測定には使用するが、通常検体測定には使用しないように設定されている。また、試薬「ＰＴ  ＴＨＳ」（ロット番号５０５７４８）と試薬「Ｆ．ＩＩ」（ロット番号５００５１１）との組み合わせは、精度管理測定および検量線測定に使用し、かつ、通常検体測定にも使用するように設定されている。また、試薬「ＰＴ  ＴＨＳ」（ロット番号５０５７４８）と試薬「Ｆ．ＩＩ」（ロット番号５００５１０または５００５０９）との組み合わせは、精度管理測定および検量線測定に使用せず、かつ、通常検体測定にも使用しないように設定されている。このようにして、１種類の試薬のうちロット番号が異なる複数の試薬を測定項目毎に割り振ることが可能である。
【００６２】
また、試薬マスタ設定ボタン４４０ｄは、試薬容器３００のバーコード３００ａから読み取った値と試薬名との対応関係を有する試薬マスタ（テーブル）を設定するための試薬マスタ設定ダイアログ（図示せず）を表示させる機能を有する。また、試薬ロットマスタ設定ボタン４４０ｅは、試薬容器３００のバーコード３００ａから読み取った値と試薬ロットおよび有効期限との対応関係を有する試薬ロットマスタ（テーブル）の設定をするための試薬ロットマスタ設定ダイアログ（図示せず）を表示させる機能を有する。また、容器マスタ設定ボタン４４０ｆは、試薬容器３００のバーコード３００ａから読み取った値と試薬容器３００の種類との対応関係を有する容器マスタ（テーブル）の設定をするための容器マスタ設定ダイアログ（図示せず）を表示させる機能を有する。
【００６３】
検体搬送機構部３は、図１〜図３に示すように、測定機構部２に検体を供給するために、検体を収容した複数（本実施形態では、１０本）の試験管２５０が載置されたラック２５１を測定機構部２の吸引位置２ａ（図３参照）に搬送する機能を有している。また、搬送機構部３は、未処理の検体を収容した試験管２５０が収納されたラック２５１をセットするためのラックセット領域３ａと、処理済みの検体を収容した試験管２５０が収納されたラック２５１を収容するためのラック収容領域３ｂとを有している。
【００６４】
測定機構部２は、搬送機構部３から供給された検体に対して光学的な測定を行うことにより、供給された検体に関する光学的な情報を取得することが可能なように構成されている。本実施形態では、搬送機構部３のラック２５１に載置された試験管２５０から測定機構部２のキュベット２００内に分注された検体に対して光学的な測定が行われる。また、測定機構部２は、図３に示すように、試薬を保存するための試薬保存部６と、試薬を交換または追加するための試薬交換部７とを含んでいる。
【００６５】
測定機構部２は、図１７に示すように、検体分注駆動部７０ａと、試薬分注駆動部１２０ａと、第１駆動部５０２と、第２駆動部５０３と、第１ロック検知部５０４と、第２ロック検知部５０５と、試薬バーコードリーダ３５０と、検体バーコードリーダ３ｃと、第１光学的情報取得部８０と、第２光学的情報取得部１３０と、搬送機構部３などに電気的に接続される制御部５０１とを有している。
【００６６】
検体分注駆動部７０ａは、後述する検体分注アーム７０（図３および図５参照）を回転上下させる機能を有するステッピングモータ部７０ｂと、ステッピングモータ部７０ｂを駆動させるための駆動回路（図示せず）と、検体を吸引および分注するためのポンプ（図示せず）とを備えている。
【００６７】
試薬分注駆動部１２０ａは、後述する試薬分注アーム１２０（図３および図５参照）を回転上下させる機能を有するステッピングモータ部１２０ｂと、ステッピングモータ部１２０ｂを駆動させるための駆動回路（図示せず）と、試薬を吸引および分注するためのポンプ（図示せず）とを備えている。
【００６８】
第１駆動部５０２は、後述する第１試薬テーブル１１（図５参照）を回転させる機能を有する第１ステッピングモータ（図示せず）と、第１ステッピングモータを駆動させるための駆動回路（図示せず）とを備えている。そして、第１試薬テーブル１１は、制御部５０１から第１駆動部５０２に供給された駆動パルス信号のパルス数に応じた分だけ回転し、停止する。
【００６９】
同様に、第２駆動部５０３は、後述する第１試薬テーブル１２（図５参照）を回転させる機能を有する第２ステッピングモータ（図示せず）と、第２ステッピングモータを駆動させるための駆動回路（図示せず）とを備えている。そして、第２試薬テーブル１２は、制御部５０１から第２駆動部５０３に供給された駆動パルス信号のパルス数に応じた分だけ回転し、停止する。
【００７０】
なお、制御部５０１は、供給した駆動パルス信号のパルス数をカウントすることにより、第１試薬テーブル１１および第２試薬テーブル１２の原点位置からの各試薬テーブル１１、１２の回転移動量を決定し、各試薬テーブル１１、１２の回転移動を制御することが可能である。
【００７１】
第１ロック検知部５０４は、後述する第１蓋部３０（図３参照）のロック状態を検知するとともに、ロックされたときにロック信号を制御部５０１に送信する機能を有している。
【００７２】
同様に、第２ロック検知部５０５は、後述する第２蓋部４０（図３参照）のロック状態を検知するとともに、ロックされたときにロック信号を制御部５０１に送信する機能を有している。
【００７３】
試薬バーコードリーダ３５０は、第１試薬テーブル１１および第２試薬テーブル１２上の各バーコードを読み取る機能を有しており、後述する試薬保存部６の側面２１の近傍に、試薬保存部６と所定の距離を隔てて設けられている（図３〜図５参照）。この試薬バーコードリーダ３５０は、制御部５０１との間でデータの送受信を行うことが可能であるとともに、試薬バーコードリーダ３５０をＯＮ／ＯＦＦ制御するための駆動回路（図示せず）を有している。なお、試薬バーコードリーダ３５０の位置は常に固定されている。
【００７４】
検体バーコードリーダ３ｃは、搬送機構部３によって搬送されたラック２５１に載置された検体を収容した試験管２５０に貼付されたバーコードを読み取る機能を有しており、前述した測定機構部２の吸引位置２ａの近傍に、搬送機構部３によって搬送されるラック２５１に対向するように設けられている（図３〜図５参照）。この検体バーコードリーダ３ｃは、制御部５０１との間でデータの送受信を行うことが可能であるとともに、検体バーコードリーダ３ｃをＯＮ／ＯＦＦ制御するための駆動回路（図示せず）を有している。なお、検体バーコードリーダ３ｃの位置は常に固定されている。
【００７５】
第１光学情報取得部８０と第２光学情報取得部１３０（図３および図５参照）は、検体の光学的情報を取得するための機能を有しており、制御部５０１との間でデータの送受信を行うことが可能なように構成されている。第１光学情報取得部８０と第２光学情報取得部１３０の詳細については後述する。
【００７６】
制御部５０１は、図１８に示すように、ＣＰＵ５０１ａとＲＯＭ５０１ｂと、ＲＡＭ５０１ｃと、通信インターフェース５０１ｄとから主として構成されている。
【００７７】
ＣＰＵ５０１ａは、ＲＯＭ５０１ｂに記憶されているコンピュータプログラムおよびＲＡＭ５０１ｃに読み出されたコンピュータプログラムを実行することが可能である。ＲＯＭ５０１ｂは、ＣＰＵ５０１ａに実行させるためのコンピュータプログラム及び当該コンピュータプログラムの実行に用いるデータ等を記憶している。ＲＡＭ５０１ｃは、ＲＯＭ５０１ｂに記憶しているコンピュータプログラムの読み出しに用いられる。また、これらのコンピュータプログラムを実行するときに、ＣＰＵ５０１ａの作業領域として利用される。
【００７８】
通信インターフェース５０１ｄは、制御装置４に接続されており、検体の光学的な情報を制御装置４に送信するとともに、制御装置４の制御部４ａからの信号を受信するための機能を果たす。また、通信インターフェース５０１ｄは、搬送機構部３および測定機構部２の各部を駆動するためのＣＰＵ５０１ａからの指令を送信するための機能を有する。
【００７９】
また、測定機構部２は、図３に示すように、試薬を保存するための試薬保存部６と、試薬を交換または追加するための試薬交換部７とを含んでいる。
【００８０】
試薬保存部６は、キュベット２００内の検体に添加される試薬を収容した試薬容器３００を、低温（約１０℃）で冷蔵保存するとともに、回転方向に搬送するために設けられている。試薬を低温で保存することにより、試薬が変質することが抑制される。また、試薬保存部６は、図３〜図５に示すように、試薬の保持および回転搬送を行う試薬搬送部１０（図４および図５参照）と、試薬搬送部１０の周囲および上方を覆うように設けられた外壁部２０（図３参照）とを含んでいる。また、試薬が保持される試薬搬送部１０は、外壁部２０と、後述する試薬交換部７の第１蓋部３０および第２蓋部４０とにより形成される冷蔵領域に配置される。
【００８１】
この試薬搬送部１０は、図５に示すように、円形状の第１試薬テーブル１１と、円形状の第１試薬テーブル１１の外側に、第１試薬テーブル１１に対して同心円状に配置された円環形状の第２試薬テーブル１２とを含む。また、第１試薬テーブル１１および第２試薬テーブル１２は、それぞれ、試薬容器３００を保持する第１試薬容器ラック３１０および第２試薬容器ラック３２０が着脱可能に配置されるように構成されている。また、外壁部２０は、側面２１（図４参照）と、側面２１に固定されている上面２２（図３参照）と、取り外し可能な蓋部２３（図３参照）とにより構成されている。また、試薬保存部６の側面２１（図４参照）の近傍には、試薬保存部６と所定の距離を隔ててバーコードリーダ３５０が設けられている。
【００８２】
第１試薬テーブル１１および第２試薬テーブル１２は、それぞれ、時計回り方向および反時計回り方向の両方に回転可能で、かつ、各々のテーブルが互いに独立して回転可能なように構成されている。これにより、試薬が収容された試薬容器３００を保持する第１試薬容器ラック３１０および第２試薬容器ラック３２０は、それぞれ、第１試薬テーブル１１および第２試薬テーブル１２によって回転方向に搬送される。また、試薬容器３００を回転方向に搬送することによって、後述する試薬分注アーム１２０が試薬を分注する際に、分注対象の試薬を試薬分注アーム１２０の近傍に配置させることが可能である。
【００８３】
また、外壁部２０の側面２１には、断熱材（図示せず）が取り付けられており、試薬保存部６（冷蔵領域）内の冷気を逃がさないように構成されている。また、図４に示すように、外壁部２０の側面２１のバーコードリーダ３５０と対向する位置には、開閉可能なシャッタ２１ａが設けられている。このシャッタ２１ａは、バーコードリーダ３５０によって試薬容器３００、第１試薬容器ラック３１０および第２試薬容器ラック３２０のバーコードを読み取る時にのみ開くように構成されている。これにより、試薬保存部６（冷蔵領域）内の冷気が外部に逃げることが抑制される。
【００８４】
また、図３に示すように、外壁部２０の上面２２は、３つの穴部２２ａ、２２ｂおよび２２ｃを含む。この３つの穴部２２ａ、２２ｂおよび２２ｃを介して、試薬分注アーム１２０により試薬保存部６に保存されている試薬の吸引が行われる。なお、穴部２２ａは、第１試薬容器ラック３１０に保持されている試薬容器３００の上方に位置する。この穴部２２ａを介して、第１試薬容器ラック３１０に保持されている試薬容器３００から試薬の吸引が行われる。また、穴部２２ｂおよび２２ｃは、それぞれ、第２試薬容器ラック３２０の後列および前列に保持されている試薬容器３００の上方に位置する。この穴部２２ｂおよび２２ｃを介して、第２試薬容器ラック３２０の後列および前列に保持されている試薬容器３００から試薬の吸引が行われる。
【００８５】
また、蓋部２３が後述する第１蓋部３０および第２蓋部４０とともに取り外されることによって、試薬保存部６（冷蔵領域）に半円形状の開口が形成される。この開口を介して、試料分析装置１において測定を開始する際に、試薬保存部６に第１試薬容器ラック３１０および第２試薬容器ラック３２０が配置される。
【００８６】
また、図５に示すように、第１試薬容器ラック３１０は、第１試薬テーブル１１に５つ配置可能である。この５つの第１試薬容器ラック３１０に、試薬容器３００が円環状に配置される。第１試薬容器ラック３１０は、図１３および図１５に示すように、試薬容器３００を保持するための２つの保持部３１１および３１２と、保持部３１１および３１２の前面側にそれぞれ設けられた切欠部３１１ａおよび３１２ａと、上方に突出するように設けられた１つの把持部３１３とを含む。また、図１３に示すように、保持部３１１および３１２は、平面的に見て円形状に形成されており、円筒形状の試薬容器３００が差し込まれることにより試薬容器３００を保持可能である。また、アダプタ（図示せず）を保持部３１１または３１２に取り付けることにより、上記保持部３１１または３１２の内径よりも小さい外径を有する試薬容器３００を保持部３１１または３１２に保持させることが可能である。また、第１試薬容器ラック３１０は、保持部３１１および３１２の内径の組み合わせが異なるように形成された２種類のラックを含む。ユーザは、適宜ラックの種類を変えることによって、様々な大きさの試薬容器３００に対応可能である。また、保持部３１１および３１２の外側面の前面側には、それぞれ、バーコード３１１ｂおよび３１２ｂが設けられており、保持部３１１および３１２の内側面には、それぞれ、バーコード３１１ｃおよび３１２ｃが設けられている。
【００８７】
２つの保持部３１１および３１２は、検体から測定用試料を調製する際に添加される種々の試薬を収容した複数の試薬容器３００を１つずつ保持することが可能である。すなわち、第１試薬テーブル１１には、最大１０個（２×５＝１０）の試薬容器３００が配置可能である。また、切欠部３１１ａおよび３１２ａは、それぞれ、バーコード３１１ｃおよび３１２ｃをバーコードリーダ３５０（図５参照）によって読み取るために設けられている。また、把持部３１３は、第１試薬容器ラック３１０を試薬保存部６から取り出す時に把持される。
【００８８】
バーコード３１１ｂおよび３１２ｂには、それぞれ、保持部３１１および３１２の位置を識別するための位置情報（ホルダ番号）が含まれている。また、バーコード３１１ｃおよび３１２ｃには、保持部３１１および３１２に保持される試薬容器３００は存在しないことを示す情報（試薬容器無し情報）が含まれている。また、試薬容器３００のバーコード３００ａには、試薬容器３００に収容されている試薬の詳細情報（試薬名、試薬容器の種類、ロット番号、試薬の有効期限などの情報）を特定するための情報が含まれている。
【００８９】
なお、たとえば、試薬容器３００が保持部３１１に保持されている場合には、バーコード３１１ｃは読み取られず、試薬容器３００のバーコード３００ａが読み取られる。すなわち、バーコードリーダ３５０によってバーコード３１１ｂを読み取った後にバーコード３００ａを読み取った場合は、制御部４ａは、バーコード３００ａによる試薬情報を有する試薬が保持部３１１に保持されていると認識するように構成されている。そして、試薬管理画面４１０の試薬配置表示領域４２０において、保持部３１１に対応する位置に第１試薬マーク４２１が表示されるように構成されている。また、バーコードリーダ３５０によってバーコード３１１ｂを読み取った後にバーコード３１１ｃを読み取った場合は、制御部４ａは、保持部３１１に保持されている試薬容器３００は存在しないと認識するよう
に構成されている。そして、試薬管理画面４１０の試薬配置表示領域４２０において、保持部３１１に対応する位置に試薬未配置マーク４２７が表示されるように構成されている。また、バーコードリーダ３５０によってバーコード３１１ｂを読み取った後にバーコード３００ａまたはバーコード３１１ｃのいずれも読み取らなかった場合（試薬容器３００が横を向いている場合など）には、制御部４ａは、読み取りエラーを認識するとともに、表示部４ｂにおいて、読み取りが失敗したことを表すバーコード読取エラーマークＥが表示されるように構成されている。また、第１試薬テーブル１１に第１試薬容器ラック自体が配置されていない場合には、バーコードリーダ３５０は、第１試薬容器ラック３１０のバーコード３１１ｂ、３１２ｂ、３１１ｃ、３１２ｃおよび試薬容器３００のバーコード３００ａを読み取ることがないように構成されている。このため、試薬管理画面４１０の試薬配置表示領域４２０において、第１試薬容器ラック３１０が配置されていない部分に対応する第１ラックマーク４２４上には、ラック未配置マーク４２６が表示されるように構成されている。
【００９０】
また、第２試薬容器ラック３２０は、図５に示すように、第２試薬テーブル１２に５つ配置可能である。この５つの試薬容器ラック３２０に、試薬容器３００が円環状に配置される。また、互いに隣接する第２試薬容器ラック３２０の５箇所の隙間のうち、１個所は、他の４箇所の隙間の間隔よりも大きい間隔を有する。この大きい間隔を有する隙間１２ａを介して、試薬保存部６の外部に位置するバーコードリーダ３５０により、第２試薬テーブル１２の内側に位置する第１試薬テーブル１１に配置される第１試薬容器ラック３１０のバーコード３１１ｂおよび３１２ｂと、第１試薬容器ラック３１０に保持される試薬容器３００のバーコード３００ａとが読み取られる。また、第２試薬容器ラック３２０は、図１４および図１６に示すように、試薬容器３００を保持するための６つの保持部３２１〜３２６と、保持部３２１〜３２６の前面側にそれぞれ設けられた切欠部３２１ａ〜３２６ａと、上方に突出するように設けられた１つの把持部３２７とを含む。また、第２試薬容器ラック３２０の保持部３２１〜３２６は、第１試薬容器ラック３１０と同様に、平面的に見て円形状に形成されており、円筒形状の試薬容器３００が差し込まれることにより試薬容器３００を保持可能である。この第２試薬容器ラック３２０は、保持部３２１〜３２６の内径の組み合わせがそれぞれ異なるように形成された３種類のラックを含む。また、第２試薬容器ラック３２０には、第１試薬容器ラック３１０に配置された試薬と同じ試薬を配置することが可能に構成されている。
【００９１】
また、前列側の切欠部３２１ａの両側には、バーコード３２１ｂと３２２ｂとが設けられている。また、同様に、切欠部３２３ａの両側および切欠部３２５ａの両側には、それぞれ、バーコード３２３ｂおよび３２４ｂ、および、バーコード３２５ｂおよび３２６ｂが設けられている。また、保持部３２１〜３２６の内側面には、それぞれ、バーコード３２１ｃ〜３２６ｃが設けられている。
【００９２】
このバーコード３２１ｂ〜３２６ｂには、それぞれ、保持部３２１〜３２６の位置を識別するための位置情報（ホルダ番号）が含まれている。また、バーコード３２１ｃおよび３２６ｃには、保持部３２１〜３２６に保持される試薬容器３００は存在しないことを示す情報（試薬容器無し情報）が含まれている。
【００９３】
また、バーコードリーダ３５０によって読み取られた試薬情報または試薬容器無し情報は、位置情報（ホルダ番号）と対応させて制御部４ａのハードディスク４０１ｄに記憶されるように構成されている。また、ハードディスク４０１ｄに記憶された情報は、制御装置４の制御部４ａにより表示部４ｂの試薬管理画面４１０に反映されるように構成されている。
【００９４】
また、バーコード３１１ｂ、３１２ｂおよび３２１ｂ〜３２６ｂは、４桁の値を示している。１桁目は、「Ａ」または「Ｂ」の値をとり、「Ａ」は、試薬容器３００が第２試薬テーブル１２に配置されていることを示し、「Ｂ」は、試薬容器３００が第１試薬テーブル１１に配置されていることを示す。また、２桁目は、「１」〜「５」の値をとり、「１」〜「３」は、それぞれ、第２試薬容器ラック３２０の３種類の形状を示し、「４」および「５」は、それぞれ、第１試薬容器ラック３１０の２種類の形状を示す。また、３桁目は、「０」〜「９」の値をとり、第１試薬容器ラック３１０または第２試薬容器ラック３２０の番号を示す。また、４桁目は、第１試薬容器ラック３１０のバーコード３１１ｂおよび３１２ｂでは、「１」または「２」の値をとり、「１」および「２」は、それぞれ、保持部３１１および３１２を示す。また、第２試薬容器ラック３２０のバーコード３２１ｂ〜３２６ｂでは、「１」〜「６」の値をとり、「１」〜「６」は、それぞれ、保持部３２１〜３２６を示す。このバーコード（バーコード３１１ｂ、３１２ｂおよび３２１ｂ〜３２６ｂ）の値は、図７に示すように、試薬管理画面４１０の第１試薬マーク４２１の位置表示部４２１ａ、第２試薬マーク４２２の位置表示部４２２ａまたは試薬未配置マーク４２７の位置表示部４２７ａに反映されるように構成されている。たとえば、バーコードの値が「Ａ１１−６」であった場合には、第２試薬テーブル１２に配置可能であるとともに、３種類の内の「１」に対応するラック（第２試薬容器ラック３２０）であり、ラック番号１の第２試薬容器ラック３２０の６番目の保持部（保持部３２６）を表す。すなわち、４桁の値のうち、前３桁は、試薬容器ラックを特定し、後１桁は、その試薬容器ラックにおける試薬の位置を特定する。
【００９５】
また、詳細情報のうちの試薬名は、試薬管理画面４１０の第１試薬マーク４２１および第２試薬マーク４２２の試薬名表示部４２１ｂおよび４２２ｂに反映されるように構成されている。また、試薬容器無し情報は、試薬未配置マーク４２７に反映されるように構成されている。すなわち、図７に示すように、試薬が配置されていた場合には、試薬名表示部４２１ｂまたは４２２ｂに試薬名が表示され、試薬が配置されていない場合には、試薬名表示部４２１ｂまたは４２２ｂには何も表示されない。たとえば、図７では、試薬位置「Ａ１２−５」には、試薬名「ＣａＣｌ２」が配置されており、試薬位置「Ａ１４−２」には、試薬が配置されていない。
【００９６】
また、試薬交換部７は、図１および図２に示すように、試料分析装置１の中央部近傍に設けられている。ここで、本実施形態では、試薬交換部７は、図３に示すように、ロック機構３１および４１をそれぞれ備えた取り外し可能な第１蓋部３０および第２蓋部４０と、ユーザに第１試薬テーブル１１および第２試薬テーブル１２の搬送状態を通知する通知部５０とを含んでいる。
【００９７】
第１蓋部３０は、第１試薬テーブル１１（第１試薬容器ラック３１０）に配置された試薬容器３００の交換が行われる際に取り外すことが可能なように構成されている。また、第１蓋部３０のロック機構３１は、通常使用時、または、試薬の交換または追加が終了した後に、第１蓋部３０が外れないようにロックするとともに、第１試薬テーブル１１における試薬の交換または追加が終了したことを制御部４ａに認識させるために設けられている。
【００９８】
また、第２蓋部４０は、第２試薬テーブル１２（第２試薬容器ラック３２０）に配置された試薬容器３００の交換の際に取り外すことが可能なように構成されている。また、第２蓋部４０のロック機構４１は、通常使用時、または、試薬の交換が終了した後に、第２蓋部４０が外れないようにロックするとともに、第２試薬テーブル１２における試薬の交換または追加が終了したことを制御部４ａに認識させるために設けられている。
【００９９】
また、通知部５０は、２つのＬＥＤインジケータ５１および５２を含む。図１および図３に示すように、２つのＬＥＤインジケータ５１および５２は、第２蓋部４０の近傍に配置されており、試料分析装置１の外部からユーザが視認可能である。また、ＬＥＤインジケータ５１および５２は、青色または赤色に発光可能である。
【０１００】
ＬＥＤインジケータ５１は、ユーザが試薬管理画面４１０において指定した第１試薬テーブル１１の試薬に対応する第１試薬容器ラック３１０が、試薬の交換が可能な取出位置（第１蓋部３０の下方）に移動されたことをユーザに通知する機能を有する。具体的には、第１試薬テーブル１１が回転移動中には、ＬＥＤインジケータ５１は、赤色に発光し、指定された第１試薬テーブル１１の試薬に対応する第１試薬容器ラック３１０が取出位置に移動されて停止した時には、青色に発光するように構成されている。これにより、ユーザに、試薬の交換または追加のために第１蓋部３０を取り外すタイミングを通知することが可能である。
【０１０１】
また、ＬＥＤインジケータ５２は、ユーザが試薬管理画面４１０において指定した第２試薬テーブル１２の試薬に対応する第２試薬容器ラック３２０が、試薬の交換が可能な取出位置（第２蓋部４０の下方）に移動されたことをユーザに通知する機能を有する。ＬＥＤインジケータ５２は、ＬＥＤインジケータ５１と同様に、第２試薬テーブル１２が回転移動中には赤色に発光し、指定された第２試薬テーブル１２の試薬に対応する第２試薬容器ラック３２０が取出位置に移動されて停止した時には、青色に発光するように構成されている。
【０１０２】
また、試薬の交換または追加が終了した後、第１蓋部３０または第２蓋部４０のロックがユーザにより行われると、試料分析装置１は、自動的に、交換された試薬が保持される第１試薬容器ラック３１０または第２試薬容器ラック３２０に保持される全ての試薬容器３００のバーコード３００ａの読み取りが行われるように構成されている。これにより、たとえば、１つの試薬を指定して試薬の交換を指示した際に、指定した試薬に加えて、同じ第１試薬容器ラック３１０または第２試薬容器ラック３２０に含まれる指定した試薬以外の試薬も交換した場合にも、交換後の試薬の配置が正しく試薬管理画面４１０に反映される。
【０１０３】
また、測定機構部２は、さらに、図３〜図５に示すように、キュベット搬送部６０と、検体分注アーム７０と、第１光学的情報取得部８０と、ランプユニット９０と、加温部１００と、キュベット移送部１１０と、試薬分注アーム１２０と、第２光学的情報取得部１３０と、緊急検体セット部１４０と、流体部１５０と、キュベット供給機構部１６０とを備えている。
【０１０４】
キュベット搬送部６０は、キュベット２００を試料分析装置１の各部分に搬送する機能を有する。キュベット搬送部６０は、円環形状の第２試薬テーブル１２の外側に配置された円環形状のキュベット搬送テーブル６１と、キュベット搬送テーブル６１上に円周方向に沿って所定の間隔を隔てて設けられた円筒形状の複数のキュベット保持部６２とからなる。キュベット保持部６２は、キュベット２００を１つずつ保持するために設けられている。キュベット搬送テーブル６１のキュベット保持部６２に保持されたキュベット２００（図５参照）には、搬送機構部３の試験管２５０に収容されている検体および試薬保存部６に保存されている試薬が分注され、測定用試料が調製される。
【０１０５】
検体分注アーム７０は、搬送機構部３により吸引位置２ａに搬送された試験管２５０に収容される検体を吸引するとともに、吸引した検体をキュベット搬送テーブル６１のキュベット保持部６２に保持されたキュベット２００内に分注する機能を有している。
【０１０６】
第１光学的情報取得部８０は、試薬を添加する前の検体中の干渉物質（乳び、ヘモグロビンおよびビリルビン）の有無およびその濃度を測定するために、検体から光学的な情報を取得するように構成されている。具体的には、後述するランプユニット９０から照射される５種類の光（３４０ｎｍ、４０５ｎｍ、５７５ｎｍ、６６０ｎｍおよび８００ｎｍ）の内の４種類の光（４０５ｎｍ、５７５ｎｍ、６６０ｎｍおよび８００ｎｍ）を用いて、干渉物質の有無およびその濃度を測定している。なお、４０５ｎｍの波長を有する光は、乳び、ヘモグロビンおよびビリルビンのいずれにも吸収される光である。すなわち、４０５ｎｍの波長を有する光により測定された光学的な情報には、乳び、ヘモグロビンおよびビリルビンの影響が寄与している。また、５７５ｎｍの波長を有する光は、ビリルビンには実質的に吸収されず、かつ、乳びおよびヘモグロビンに吸収される光である。すなわち、５７５ｎｍの波長を有する光により測定された光学的な情報には、乳びおよびヘモグロビンの影響が寄与している。そして、６６０ｎｍおよび８００ｎｍの波長を有する光は、ビリルビンおよびヘモグロビンには実質的に吸収されず、かつ、乳びに吸収される光である。すなわち、６６０ｎｍおよび８００ｎｍの波長を有する光により測定された光学的な情報には、乳びの影響が寄与している。また、乳びは、底波長域の４０５ｎｍから高波長域の８００ｎｍまでの波長の光を吸収しており、６６０ｎｍの波長を有する光の方が、８００ｎｍの波長を有する光に比べて、乳びによる吸収が多い。すなわち、８００ｎｍの波長を有する光で測定した光学的な情報の方が、６６０ｎｍの波長を有する光で測定した光学的な情報より、乳びの影響が小さい。
【０１０７】
この第１光学的情報取得部８０による検体の光学的な情報の取得は、第２光学的情報取得部１３０による検体の光学的な測定（本測定）の前に行われる。第１光学的情報取得部８０は、キュベット搬送テーブル６１のキュベット保持部６２に保持されたキュベット２００内の検体から光学的な情報（検体の透過光による情報）を取得する。
【０１０８】
また、第１光学的情報取得部８０は、制御装置４の制御部４ａに電気的に接続されており、第１光学的情報取得部８０において取得されたデータ（光学的な情報）を制御装置４の制御部４ａに送信する。これにより、制御装置４において、第１光学的情報取得部８０からのデータの分析（解析）が行われることにより、分岐光ファイバ９１から出射される５種類の光に対するキュベット２００内の検体の吸光度が求められるとともに、検体中の干渉物質の有無やその濃度などが分析される。そして、本実施形態では、検体中の干渉物質の有無やその濃度などに基づいて、後述する第２光学的情報取得部１３０で測定した光学的な情報を分析するか否かが判断される。
【０１０９】
ランプユニット９０は、図５に示すように、第１光学的情報取得部８０および第２光学的情報取得部１３０で行われる光学的な測定に用いられる５種類の波長を有する光（３４０ｎｍ、４０５ｎｍ、５７５ｎｍ、６６０ｎｍおよび８００ｎｍ）を供給するために設けられている。すなわち、１つのランプユニット９０が、第１光学的情報取得部８０および第２光学的情報取得部１３０に対して共通に用いられるように構成されている。また、ランプユニット９０の光は、分岐光ファイバ９１および分岐光ファイバ９２によって、それぞれ、第１光学的情報取得部８０および第２光学的情報取得部１３０に供給される。
【０１１０】
加温部１００は、保温可能なプレート１０１からなり、１０個の凹形状のキュベット保持部１０１ａが設けられている。各キュベット保持部１０１ａは、それぞれ、１つのキュベット２００を保持可能であり、検体が分注されたキュベット２００をキュベット保持部１０１ａに数分間保持することによって、キュベット２００内の検体を約３７℃に加温する機能を有する。また、加温部１００で加温された検体は、加温が終了してから一定時間内に試薬の分注および測定が行われる。これにより、検体、および、検体と試薬とから調製される測定試料の変質を抑制するとともに、測定結果を安定させることが可能である。
【０１１１】
また、キュベット移送部１１０は、キュベット２００を、キュベット搬送部６０と、保温部１１０と、第２光学的情報取得部１３０との間を移送させるために設けられている。キュベット移送部１１０は、キュベット２００を把持する移送用キャッチャ部１１１と、移送用キャッチャ部１１１を移動させるための駆動部１１２とを含む。移送用キャッチャ部１１１は、駆動部１１２の駆動により移動領域１１０ａ内を移動可能であり、キュベット搬送部６０と、加温部１００と、第２光学的情報取得部１３０の測定用載置部１３１との間でキュベット２００の移送を行う。また、移送用キャッチャ部１１１には振動機能が設けられており、キュベット２００を把持した状態でキュベット２００を振動させることにより、キュベット２００内の検体と試薬とを攪拌することが可能である。
【０１１２】
試薬分注アーム１２０は、図３〜図５に示すように、試薬保存部６に載置された試薬容器３００内の試薬をキュベット２００に分注することにより、キュベット２００内の検体に試薬を混合するために設けられている。具体的には、前述した試薬保存部６の外壁部２０の穴部２２ａ、２２ｂまたは２２ｃ（図３参照）を介して試薬の吸引を行い、加温（３７℃）が完了したキュベット２００を移送用キャッチャ部１１１が加温部１００のキュベット保持部１０１ａから取り出し、把持した状態で、吸引した試薬をキュベット２００に分注する。なお、試薬分注アーム１２０のピペット部１２１には加温機能が設けられており、吸引された試薬は、瞬間的に約３７℃に加温される。すなわち、試薬保存部６で低温（約１０℃）保存されている試薬は、試薬分注アーム１２０によって約３７℃に加温された状態で、加温が完了した約３７℃の検体と混合される。このように、第１光学的情報取得部８０による光学的な測定が終了した検体に試薬を添加して測定用試料が調製される。
【０１１３】
ここで、本実施形態では、試薬分注アーム１２０は、分注動作を行う際に、ステッピングモータ（図示せず）によるパルス制御によりピペット部１２１を上下方向に移動させるように構成されている。また、試薬分注アーム１２０のピペット部１２１の先端には、試薬容器３００から試薬を吸引する際に、試薬の液面を検知するためのセンサ（図示せず）が設けられている。これにより、試薬の液面を検知するまでのパルス数と１パルス分の移動量とによって試薬容器３００における試薬の液面の高さを算出することが可能である。試薬の液面の高さの算出手順については、後に詳細に説明する。
【０１１４】
ここで、本実施形態では、試薬分注アーム１２０の動作中に試薬の交換が指示された場合に、指定された試薬が含まれる試薬テーブルから分注対象の試薬の分注作業が行われている場合には、指定された試薬が含まれる試薬テーブルからの試薬分注アーム１２０による分注対象の試薬の分注作業が停止される。この場合、分注対象の試薬が指定された試薬が含まれる試薬テーブルと別の試薬テーブルにも含まれる場合には、試薬分注アーム１２０は、指定された試薬が含まれる試薬テーブルの分注対象の試薬の分注作業を停止し、もう一方の試薬テーブルに含まれる分注対象の試薬から分注作業を継続する。また、分注対象の試薬が、交換が指示された試薬が含まれる試薬テーブルにのみ配置されている場合には、試薬分注アーム１２０は、交換指示のときに加温部１００において加温中の検体（試薬分注待機中の検体）に対する分注対象の試薬の分注を終了させてから分注動作を行わないように構成されている。これにより、交換指示時に加温部１００において加温中の検体も、加温後、一定時間内に測定が行われる。
【０１１５】
第２光学的情報取得部１３０は、測定用試料から光学的な情報を測定するための機能を有している。この第２光学的情報取得部１３０は、図５に示すように、測定用載置部１３１と、測定用載置部１３１の下方に配置された検出部１３２とにより構成されている。
【０１１６】
また、第２光学的情報取得部１３０の検出部１３２は、キュベット２００内の測定用試料に対して複数の条件下で光学的な測定（本測定）を行うことが可能なように構成されている。また、第２光学的情報取得部１３０は、制御装置４の制御部４ａに電気的に接続されており、取得したデータ（光学的な情報）を制御装置４の制御部４ａに送信する。これにより、制御装置４において、予め取得済みの第１光学的情報取得部８０からのデータ（光学的な情報）の分析結果に基づいて、第２光学的情報取得部１３０から送信されたデータ（光学的な情報）が分析されて、表示部４ｂに表示される。
【０１１７】
なお、分岐光ファイバ９２から照射される６６０ｎｍの波長を有する光は、Ｆｂｇ（フィブリノーゲン量）、ＰＴ（プロトロンビン時間）およびＡＰＴＴ（活性化部分トロンボプラスチン時間）を測定する際に用いられるメイン波長である。また、８００ｎｍの波長を有する光は、Ｆｂｇ、ＰＴおよびＡＰＴＴを測定する際に用いられるサブ波長である。合成基質法の測定項目であるＡＴＩＩＩの測定波長は４０５ｎｍであり、免疫比濁法の測定項目であるＤダイマーおよびＦＤＰの測定波長は８００ｎｍである。また、血小板凝集の測定波長は、５７５ｎｍである。
【０１１８】
緊急検体セット部１４０は、図３〜図５に示すように、緊急を要する検体に対しての検体分析処理を行うために設けられている。この緊急検体セット部１４０は、搬送機構部３から供給された検体に対しての検体分析処理が行われている際に、緊急検体を割り込ませることが可能なように構成されている。また、緊急検体セット部１４０は、Ｘ方向にスライド可能であり、希釈液および洗浄液が収容された容器（図示せず）を保持するための５つの保持部１４１が設けられている。また、希釈液および洗浄液が収容された容器（図示せず）には、バーコード（図示せず）が貼付されている。希釈液および洗浄液のバーコードは、緊急検体セット部１４０がＸ方向にスライドされながら、バーコードリーダ３５１によって読み取られるように構成されている。これにより、希釈液および洗浄液の種類、配置などが試薬管理画面４１０の希釈・洗浄液マーク４２３として表示されるように構成されている。また、図１および図２に示すように、試料分析装置１の交換部７の前面側には、蓋部１ｃが設けられている。この蓋部１ｃを介して、希釈液および洗浄液が収容された容器（図示せず）の交換または追加が行われる。
【０１１９】
また、流体部１５０は、試料分析装置１のシャットダウン処理の際に、各分注アーム（検体分注アーム７０および試薬分注アーム１２０）に設けられるノズルに洗浄液などの液体を供給するために設けられている。
【０１２０】
また、キュベット供給機構部１６０は、ユーザによって無造作に投入された複数のキュベット２００をキュベット搬送部６０に順次供給することが可能なように構成されている。このキュベット供給機構部１６０は、図３〜図５に示すように、第１ホッパ１６１ａと、第１ホッパ１６１ａからキュベット２００が供給されるとともに、第１ホッパ１６１ａよりも小さい第２ホッパ１６１ｂと、第２ホッパ１６１ｂからキュベット２００が供給される２つの誘導板１６２と、２つの誘導板１６２の下端に配置された支持台１６３と、支持台１６３から所定の間隔を隔てて設けられた供給用キャッチャ部１６４とを含んでいる。第１ホッパ１６１ａ内に供給されたキュベット２００は、第１ホッパ１６１ａよりも小さい第２ホッパ１６１ｂを介して、誘導板１６２上を、支持台１６３に向かって滑り落ちながら移動するように構成されている。また、支持台１６３は、誘導板１６２を滑り落ちて移動したキュベット２００を、供給用キャッチャ部１６４が把持可能な位置まで回転移送する機能を有している。そして、供給用キャッチャ部１６４は、支持台１６３により回転移送されたキュベット２００をキュベット搬送部６０に供給するために設けられている。
【０１２１】
また、図３〜図５に示すように、測定機構部２には、上述した供給用キャッチャ部１６４から所定の間隔を隔てて、キュベット２００を廃棄するための廃棄用孔１７１（図３および図５参照）と、廃棄用孔１７１の下方に設置された廃棄ボックス１７２とが設けられている。上述した供給用キャッチャ部１６４は、キュベット搬送部６０のキュベット搬送テーブル６１上のキュベット２００を、廃棄用孔１７１（図３および図５参照）を介して廃棄ボックス１７２に廃棄することが可能である。すなわち、供給用キャッチャ部１６４は、キュベット２００の供給と廃棄との両方を行うことが可能である。
【０１２２】
次に、図４および図５を参照して、試料分析装置１の検体の分析動作について詳細に説明する。なお、ここでは、凝固時間法を用いた測定における動作について説明する。
【０１２３】
まず、図４に示した試料分析装置１の測定機構部２および制御装置４の電源をそれぞれオン状態にすることにより、試料分析装置１の初期設定が行われる。これにより、キュベット２００を移動させるための機構と各分注アーム（検体分注アーム７０および試薬分注アーム１２０）とを初期位置に戻すための動作や、制御装置４の制御部４ａに記憶されているソフトウェアの初期化などが行われる。
【０１２４】
そして、図５に示した搬送機構部３によって、検体を収容した試験管２５０が載置されたラック２５１の搬送が行われる。これにより、ラックセット領域３ａのラック２５１が測定機構部２の吸引位置２ａに対応する位置まで搬送される。
【０１２５】
そして、検体分注アーム７０により試験管２５０から所定量の検体の吸引が行われる。そして、検体分注アーム７０をキュベット搬送部６０のキュベット搬送テーブル６１に保持されたキュベット２００の上方に移動させる。その後、検体分注アーム７０からキュベット搬送テーブル６１のキュベット２００内に検体が吐出されることにより、キュベット２００内に検体が分取される。
【０１２６】
そして、キュベット搬送テーブル６１を回転させて、検体が分注されたキュベット２００を第１光学的情報取得部８０による測定が可能な位置に搬送する。これにより、第１光学的情報取得部８０による検体に対する光学的な測定が行われて、検体から光学的な情報が取得される。具体的には、キュベット搬送テーブル６１のキュベット保持部６２（図５参照）に保持されたキュベット２００内の検体を透過した５種類（３４０ｎｍ、４０５ｎｍ、５７５ｎｍ、６６０ｎｍおよび８００ｎｍ）の光による電気信号のデータを制御装置４の制御部４ａに送信する。これにより、第１光学的情報取得部８０による検体に対する光学的な情報（第１光学的情報）の取得が完了する。
【０１２７】
そして、制御装置４の制御部４ａは、受信したデータ（第１光学的情報）を用いて、検体の吸光度を算出するとともに、検体中の干渉物質（乳び、ヘモグロビン、ビリルビン）の有無およびその濃度を算出する。具体的には、ランプユニット９０から照射される４種類（４０５ｎｍ、５７５ｎｍ、６６０ｎｍおよび８００ｎｍ）の光を用いて取得された光学的な情報（第１光学的情報）に基づいて、制御装置４の制御部４ａは、検体の吸光度を算出し、この吸光度をＲＡＭ４０１ｃに記憶する。
【０１２８】
その後、ＲＡＭ４０１ｃに記憶されている吸光度のうち、メイン波長での吸光度が閾値以下か否かが判断される。具体的には、検体の検査項目が「ＰＴ」、「ＡＰＴＴ」、「Ｆｂｇ」等の凝固時間法の検査項目の場合には、これらの項目のメイン波長である６６０ｎｍを有する光を照射して測定された第１光学的情報から算出した吸光度が閾値（たとえば、２．０）以下か否かが判断される。
【０１２９】
そして、第１光学的情報取得部８０で測定された第１光学的情報から算出したメイン波長での吸光度が閾値以下の場合には、キュベット２００は、キュベット移送部１１０により、キュベット搬送テーブル６１から加温部１００に移送される。そして、加温部１００において約３７℃になった検体を収容したキュベット２００は、キュベット移送部１１０の移送用キャッチャ部１１１によって把持される。そして、移送用キャッチャ部１１１によってキュベット２００が把持された状態で、試薬分注アーム１２０を駆動させて、試薬テーブル（第１試薬テーブル１１または第２試薬テーブル１２）に載置された試薬容器３００内の試薬をキュベット２００内の検体に添加する。この状態で、移送用キャッチャ部１１１の振動機能により、キュベット２００内の検体および試薬が攪拌される。これにより、測定用試料の調製が行われる。そして、そのまま、キュベット移送部１１０により、測定用試料が収容されたキュベット２００を第２光学的情報取得部１３０の測定用載置部１３１に移動させる。
【０１３０】
そして、第２光学的情報取得部１３０の検出部１３２によりキュベット２００内の測定用試料に対して複数の条件下で光学的な測定（本測定）が行われることによって、測定用試料から光学的な情報（第２光学的情報）が取得される。具体的には、まず、測定用載置部１３１のキュベット２００へ、ランプユニット９０の分岐光ファイバ９２から光が照射される。なお、分岐光ファイバ１３２からは、５つの異なる波長（３４０ｎｍ、４０５ｎｍ、５７５ｎｍ、６６０ｎｍおよび８００ｎｍ）の光が照射される。これにより、分岐光ファイバ９２から照射され、キュベット２００およびキュベット２００内の測定用試料を透過した上記各波長の光に対応する電気信号のデータが取得される。
【０１３１】
そして、５つの異なる波長の光に対応する電気信号のデータが、制御装置４の制御部４ａに順次送信される。これにより、第２光学的情報取得部１３０によって測定用試料に対する光学的な情報（第２光学的情報）の取得が完了する。
【０１３２】
一方、第１光学的情報取得部８０で測定された第１光学的情報から算出したメイン波長での吸光度が閾値より大きい場合には、第１光学的情報取得部８０で測定された第１光学的情報から算出したサブ波長での吸光度が閾値以下か否かが判断される。具体的には、検体の検査項目が「ＰＴ」、「ＡＰＴＴ」、「Ｆｂｇ」等の凝固時間法の検査項目の場合には、これらの項目のサブ波長である８００ｎｍを有する光を照射して測定された第１光学的情報から算出した吸光度が閾値（たとえば、２．０）以下か否かが判断される。
【０１３３】
そして、第１光学的情報取得部８０で測定された第１光学的情報から算出したサブ波長での吸光度が閾値以下の場合には、第２光学的情報取得部１３０によって測定用試料に対する光学的な情報（第２光学的情報）を取得する。
【０１３４】
また、一方、第１光学的情報取得部８０で測定した第１光学的情報から算出したサブ波長での吸光度が閾値より大きい場合には、検体に含有される干渉物質（ビリルビン、ヘモグロビンおよび乳び）の影響が大きいため信頼性の高い分析を行うことが困難であると判断して、本測定を中止する。これにより、干渉物質の影響を顕著に受けた分析不能な検体に対して、試薬を添加して測定用試料を調製することがないので、試薬が無駄になるのを抑制することが可能となる。なお、信頼性の高い測定を行うことが困難な場合（本測定を中止する場合）として、第１光学的情報取得部８０で検出した検体中に干渉物質が多量に存在することにより、検体を透過する光が遮られて、検体を透過する透過光を実質的に検出できない場合などが挙げられる。
【０１３５】
そして、上記した第２光学的情報取得部１３０による第２光学的情報の取得（本測定）の後、第２光学的情報取得部１３０において測定された複数の第２光学的情報の中からメイン波長で測定した測定用試料の第２光学的情報が制御装置４の制御部４ａに送信されて、その制御部４ａのハードディスク４０１ｄにインストールされるアプリケーションプログラム４０４ａにより分析される。たとえば、検体の検査項目が「ＰＴ」の場合には、まず、「ＰＴ」のメイン波長である６６０ｎｍを有する光を照射して測定された第２光学的情報が制御装置４の制御部４ａに送信される。その後、メイン波長で取得された第２光学的情報を受信した制御部４ａが、その第２光学的情報に基づいて、分析結果を出力する。
【０１３６】
また、同様にして、上記した第２光学的情報取得部１３０による第２光学的情報の取得（本測定）の後、第２光学的情報取得部１３０において測定された複数の第２光学的情報の中からサブ波長で測定した測定用試料の第２光学的情報が制御装置４の制御部４ａに送信されて、その制御部４ａのハードディスク４０１ｄにインストールされるアプリケーションプログラム４０４ａにより分析される。具体的には、検体の検査項目が「ＰＴ」の場合には、まず、「ＰＴ」のサブ波長である８００ｎｍを有する光を照射して測定された第２光学的情報が制御装置４の制御部４ａに送信される。その後、サブ波長で取得された第２光学的情報を受信した制御部４ａが、その第２光学的情報に基づいて、分析結果を出力する。
【０１３７】
そして、制御装置４の制御部４ａによる分析が終了した後には、得られた分析結果を制御装置４の表示部４ｂに表示する。このようにして、試料分析装置１の検体の分析動作が終了する。
【０１３８】
図２７は、本実施形態による試料分析装置１の制御装置４の制御部４ａおよび測定機構部２の制御部５０１の測定処理フローを説明するためのフローチャートである。次に、図１、図３、図７、図２７を参照して、本実施形態による試料分析装置１の制御部４ａと制御部５０１との測定処理フローを説明する。
【０１３９】
まず、測定機構部２の電源（図示しない）を入れると、ステップＳ１において、制御部５０１の初期化（プログラムの初期化）が行われるとともに、測定機構部２の各部の動作チェックが行われる。そして、制御装置４の電源（図示しない）を入れると、ステップＳ１１において、制御部４ａの初期化（プログラムの初期化）が行われる。なお、制御部５０１の初期化が完了すると、制御部５０１は、制御部４ａの初期化完了を示す初期完了信号を要求し、初期化完了信号を受信すると、試薬保存部６にセットされた全ての試薬のバーコードおよび試薬ラックのバーコードを読み取るようにバーコード３５０を制御する。読み取られたバーコード情報は、制御部５０１から制御部４ａに送信され、制御部４ａのハードディスク４０１ｄに記憶される。
【０１４０】
次に、ステップＳ１２において、表示部４ｂにメニュー画面（図示せず）が表示され、ユーザがメニュー画面に表示されたスタートボタンを押すことにより、ステップＳ１３において、測定開始信号が制御部４ａから制御部５０１へ送信される。ステップＳ１２において、スタートボタンが押されなかった場合には、ステップＳ１９に進む。
【０１４１】
次に、ステップＳ２において、制御部５０１によって、測定開始信号の受信が行われたか否かが判断され、測定開始信号の受信が行われたと判断された場合には、ステップＳ３に進み、測定開始信号の受信が行われなかったと判断された場合には、ステップＳ６に進む。
【０１４２】
次に、ステップＳ３において、キュベット２００に分注された検体に試薬を分注する処理が行われるとともに、試薬の吸引が行なわれる際に液面検知が行われ、液面検知情報が取得され、その液面検知情報は制御部５０１から制御部４ａに送信される。そして、ステップＳ４において、第１光学的情報取得部８０と第２光学的情報取得部１３０で、試薬が分注された検体の測定が行われ、ステップＳ５において、測定結果が、制御部５０１から制御部４ａに送信される。
【０１４３】
次に、ステップＳ１４において、制御部４ａによって、液面検知情報の受信が行われたか否かが判断され、液面検知情報の受信が行われた場合には、ステップＳ１５に進み、液面検知情報の受信が行われなかった場合には、ステップＳ１９に進む。そして、ステップＳ１５において、制御部４ａによって、試薬の残量算出処理が行われる。試薬残量算出処理は後述するが、液面検知情報に基づいて、試薬残量を算出し、試薬残量をハードディスク４０１ｄに記憶する処理である。
【０１４４】
次に、ステップＳ１６において、制御部４ａによって、測定結果の受信が行われたか否かが判断され、測定結果の受信が行われた場合には、ステップＳ１７に進み、測定結果の受信が行われなかった場合には、ステップＳ１９に進む。そして、ステップＳ１７において、制御部４ａによって、測定結果の分析が行われ、ステップＳ１８において、その分析結果がハードディスク４０１ｄに記憶される。
【０１４５】
次に、ステップＳ１９において、制御部４ａによって、試薬管理画面４１０の表示指示が行われたか否か（メニュー画面の試薬管理画面４１０を表示するための試薬ボタン（図示せず）が押されたか否か）が判断され、試薬管理画面４１０の表示指示が行われた場合には、ステップＳ２０に進み、試薬管理画面４１０の表示指示が行われなかった場合には、ステップＳ２７に進む。そして、ステップＳ２０において、制御部４ａによって、試薬管理画面４１０の表示が行われる。試薬管理画面４１０が表示される際、制御部４ａによって、読み取られたバーコード情報（ステップＳ１）および算出された試薬残量（ステップＳ１５）に基づいて、試薬管理画面４１０に表示された第１試薬マーク４２１、第２試薬マーク４２２および試薬詳細情報表示領域４３０に必要な情報が反映される（図７参照）。また、試薬管理画面４１０の試薬配置表示領域４２０に表示された第１試薬マーク４２１の残量インジケータ４２１ｃまたは第２試薬マーク４２２の残量インジケータ４２２ｃに試薬の残量が表示される。後述する算出された試薬残量には、第１試薬残量、第２試薬残量および第３試薬残量の３種類がある。第１試薬残量に対して、残量インジケータは赤色に表示され、第２試薬残量に対して、残量インジケータは黄色に表示され、第３試薬残量に対して、残量インジケータは表示されない。
【０１４６】
次に、ステップＳ２１において、タッチパネル機構を有する表示部４ｂの試薬管理画面４１０において、制御部４ａによって、交換する試薬の指定が行われた否かが判断される。以下に試薬の指定の詳細を説明する。すなわち、ユーザは、まず、図７に示した試薬管理画面４１０の試薬配置表示領域４２０を参照することにより、試薬の配置を確認する。また、ユーザは、複数の第１試薬マーク４２１または第２試薬マーク４２２の中から試薬が表示されている第１試薬マーク４２１または第２試薬マーク４２２を直接手で触れることにより任意の試薬を指定して、試薬詳細情報表示領域４３０に表示される指定した試薬の詳細情報を確認する。このとき、指定されている試薬マーク「ＳＨＰ」の試薬名表示部の背景の色（たとえば、青色（図７では、ハッチング（斜線）あり））は、試薬マーク「ＳＨＰ」以外の試薬マークの試薬名表示部の背景の色（たとえば、白色（図７では、ハッチング（斜線）なし））と異なるように表示される。そして、交換しようとする試薬をユーザが決定した後、交換しようとする試薬が表示されている第１試薬マーク４２１または第２試薬マーク４２２がユーザにより指定される。ステップＳ２１において、制御部４ａによって、試薬の指定が行われたと判断された場合には、ステップＳ２２に進み、試薬の指定が行われなかったと判断された場合には、ステップＳ２７に進む。
【０１４７】
次に、ステップＳ２２において、指定された試薬の試薬詳細情報が試薬詳細情報表示領域４３０に表示される試薬詳細情報表示処理が行われ、ステップＳ２３において、制御部４ａによって、試薬交換の指示が行われたか否か（交換・追加ボタン４４０ａが押されたか否か）が判断される。なお、図７では、試薬位置「Ａ１１−６」の試薬「ＳＨＰ」が指定されているとともに、試薬詳細情報表示領域４３０には、試薬「ＳＨＰ」の詳細情報が表示されている。そして、ステップＳ２３において、試薬交換の指示が行われたと判断された場合には、ステップＳ２４において、制御部４ａによって、試薬交換処理が行われるとともに、試薬交換信号が制御部４ａから制御部５０１へ送信される。ステップＳ２３において、試薬交換の指示が行われなかったと判断された場合には、ステップＳ２５に進む。
【０１４８】
次にステップＳ２５において、制御部４ａによって、試薬情報の編集指示が行われたか否かが判断され、試薬情報の編集指示が行われた場合には、ステップＳ２６に進み、試薬情報の編集指示が行われなかった場合には、ステップＳ２７に進む。そして、ステップＳ２７において、制御部４ａによって、試薬情報の編集処理が行われる。
【０１４９】
次に、ステップＳ２７において、制御部４ａによって、シャットダウンの指示が行われたか否か（メニュー画面からシャットダウンボタン（図示せず）が押されたか否か）が判断され、シャットダウンの指示が行われたと判断された場合には、ステップＳ２８に進み、シャットダウンの指示が行われなかったと判断された場合には、ステップＳ１２に戻る。そして、ステップＳ２８において、シャットダウン信号が制御部４ａから制御部５０１へ送信されるとともに、制御装置４のシャットダウンが行われ、処理が終了する。
【０１５０】
次に、ステップＳ６において、制御部５０１によって、試薬交換信号の受信が行われたか否かが判断され、試薬交換信号の受信が行われたと判断された場合には、ステップＳ７に進み、試薬交換信号の受信が行われなかったと判断された場合には、ステップＳ８に進む。そして、ステップＳ７において、制御部５０１によって、試薬交換処理が行われる。
【０１５１】
次に、ステップＳ８において、シャットダウン信号の受信が行われたか否かが判断され、シャットダウン信号の受信が行われたと判断された場合には、ステップＳ９に進み、シャットダウン信号の受信が行われなかったと判断された場合には、ステップＳ２に戻る。そして、ステップＳ９において、測定機構部２のシャットダウンが行われ、処理が終了する。
【０１５２】
なお、制御部５０１の測定処理フローおいて、ステップＳ３と、ステップＳ４と、ステップＳ７とは、並列処理されている。また、制御部４ａの測定処理フローおいて、ステップＳ１５と、ステップＳ１７と、ステップＳ２０、ステップＳ２２およびステップＳ２６と、ステップ２４とは並列処理されている。
【０１５３】
図１９は、図２７に示すフローチャートのステップＳ２４において実行される制御部４ａの試薬交換処理の詳細を説明するためのフローチャートである。また、図２０は、図２７に示すフローチャートのステップＳ７において実行される制御部５０１の試薬交換処理の詳細を説明するためのフローチャートである。次に、図３、図７〜図１０、図１９および図２０を参照して、本実施形態による試料分析装置１の制御部４ａと制御部５０１の試薬交換処理フローを説明する。
【０１５４】
まず、図１９に示したステップＳ３１において、指定した試薬（図８の「Ｂ１１−２」）が収容された試薬容器ラックに対応するラックマークが所定の色（例えば、黄色（図８では左斜めハッチングで図示））に表示される。この表示により、ユーザは、指定した試薬が収納された試薬容器ラックが取出位置に移動中であることを認識することができる。また、試薬交換部７においては、指定した試薬が収納された試薬容器ラックが取出位置に移動中に、ＬＥＤインジケータ５１またはＬＥＤインジケータ５２が赤色に発光する。ここでは、「Ｂ１１−２」の試薬「ＸＩ」を交換する例を説明する。
【０１５５】
次に、図２０に示したステップＳ４１において、制御部５０１によって、前述した試薬分注待機中の検体の中に指定された試薬を保持するラックを含む試薬テーブル（以下、試薬交換対象テーブル）の試薬を使用するものがあるか否かが判断され、試薬交換信号を受信したときに試薬分注待機中の検体の中に試薬交換対象テーブルの試薬を使用するものがある場合には、ステップＳ４２において、当該検体への試薬の分注を実行する。そして、ステップＳ４１〜ステップＳ４２を繰り返すことにより、試薬交換対象テーブルの試薬を使用する試薬分注待機中の検体に対して、試薬交換対象テーブルからの試薬の分注が全て行われる。これにより、試薬交換の指示が出されたとき試薬分注待機中の検体の中に試薬交換対象テーブルの試薬を使用する検体がある場合には、試薬交換実行前に、その検体に対して、試薬の分注が行われる。一旦、検体がキュベット２００に分注されて測定が開始された場合には、その検体に対して、所定時間経過後、試薬を分注する必要があり、それが正しく行われなければ、その検体は測定に使用することができず、廃棄しなければならない。従って、測定が開始された検体（試薬分注待機中の検体）に対して、所定の処理が行われ、測定を中断することなく、測定を完了させる必要がある。また、試薬交換の指示が出されたとき試薬分注待機中の検体の中に試薬交換対象の試薬テーブルの試薬を使用する検体がない場合には、制御部５０１は、ステップＳ４３以降の処理を実行し、試薬交換動作を行う。つまり、ステップＳ４１において、試薬分注待機中の検体がないか、あったとしても全て試薬交換対象ではない試薬テーブルの試薬を使用するものである場合には、試薬交換対象テーブルにアクセスする必要がないため、試薬交換動作が実行される。以上のように、試薬交換の指示が出されたとき試薬分注待機中の検体（試薬分注待機中の検体）の中に試薬交換対象の試薬テーブルの試薬を使用する検体がある場合とない場合の両方において、試薬分注待機中の検体を破棄することがないため、検体を無駄にすることがないうえ、迅速に試薬交換が可能である。
【０１５６】
次に、ステップＳ４１において、試薬分注待機中の全ての検体が試薬交換対象の試薬テーブルの試薬を使用しないと判断された場合には、ステップＳ４３において、制御部５０１によって、第１駆動部５０２または第２駆動部５０３が制御されることにより、試薬交換対象の試薬テーブルが回転し、指定された試薬を保持する第１試薬容器ラック３１０または第２試薬容器ラック３２０が取出位置（第１蓋部３０または第２蓋部４０の下方）に移動される。この処理において、制御部５０１が試薬交換対象テーブルの駆動回路に対して移動を指示するコマンドを発する。そのコマンドをこの駆動回路が受け付けると、駆動回路が内蔵するステータスレジスタの試薬交換フラグをセットする。つまり、ユーザによって交換指示された試薬を含む試薬交換対象テーブルについて、上記の試薬交換ステータスをオンにセットするようになっている。なお、試薬交換ステータスは、第１試薬テーブル１１の試薬交換ステータスおよび第２試薬テーブル１２の試薬交換ステータスのいずれか一方がオンにセットされる。そして、指定された試薬を保持する試薬容器ラックが取出位置に移動されると、ステップＳ４４において、制御部５０１によって、指定された試薬を保持する試薬容器ラックが取出位置に移動されたことを示す移動終了信号が制御部４ａに送信される。なお、制御部５０１が、第１駆動部５０２または第２駆動部５０３に供給した駆動パルス信号のパルス数をカウントすることにより、第１試薬テーブル１１および第２試薬テーブル１２の原点位置からの各試薬テーブル１１、１２の回転移動量を決定することが可能である。そのため、制御部５０１は、原点位置からの移動量によって、第１試薬テーブル１１または第２試薬テーブル１２が取出位置に移動したことを認識することが可能であり、その認識に基づいて移動終了信号を発生させる。
【０１５７】
制御部５０１から制御部４ａに移動終了信号が送信されると、図１９に示すステップＳ３２において、制御部４ａによって、移動終了信号を受信したか否かが判断される。ステップＳ３２において移動終了信号の受信が行われた判断された場合には、ステップ３３において、指定された試薬を保持する試薬容器ラックが取出位置に移動されたことをユーザに通知する。具体的には、試薬管理画面４１０において、上記ステップＳ３１で所定の色（例えば、黄色（図８では左斜めハッチングで図示））に表示されたラックマークが、所定の色（例えば、緑色（図９では右斜めハッチングで図示））に表示される。また、試薬交換部７においては、指定された試薬を保持する試薬容器ラックが取出位置に移動されると、試薬容器ラックの移動中に赤色に発光していたＬＥＤインジケータ５１またはＬＥＤインジケータ５２が青色に発光する。これにより、指定された試薬を保持する試薬容器ラックが取出位置に移動されたことがユーザに通知される。
【０１５８】
次に、試薬の交換作業のために、ユーザによって、試薬交換対象のテーブルの蓋部のロック機構が解除される。そして、この蓋部のロック検知部からロック解除信号が制御部５０１へ送られ、ステップＳ４５において、制御部５０１によって、蓋部のロックが解除されたか否かが判断される。なお、ユーザによる試薬交換作業としては、ロック状態が解除された第１蓋部３０または第２蓋部４０がユーザにより取り外された後、取出位置（第１蓋部３０または第２蓋部４０の下方）にある試薬容器ラックの把持部（把持部３１３または３２７）がユーザにより把持されて取り出される。そして、ユーザにより、指定された試薬が収容された試薬容器３００が、新たな試薬が収容された試薬容器３００と交換される。その後、交換後の試薬が配置された試薬容器ラックが取出位置に戻され、ユーザにより第１蓋部３０または第２蓋部４０が取り付けられてロックされる。そして、蓋部のロック検知部からロック信号が制御部５０１へ送られ、ステップＳ４６において、制御部５０１によって、蓋部がロックされたか否かが判断される。
【０１５９】
そして、ステップＳ４６において、制御部５０１によって第１蓋部３０または第２蓋部４０がロックされたと判断された場合には、ステップＳ４７において、バーコードの読取動作が行われる。このバーコードの読取動作では、制御部５０１が、交換された試薬が配置される第１試薬容器ラック３１０または第２試薬容器ラック３２０に対して、バーコードリーダ３５０によるバーコードの読み取りを行うように、第１試薬テーブル１１または第２試薬テーブル１２とバーコードリーダ３５０とを制御する。具体的には、第２試薬容器ラック３２０、および、第２試薬容器ラック３２０に保持されている試薬容器３００のバーコード３００ａ、３２１ｂ〜３２６ｂまたは３２１ｃ〜３２６ｃの読み取りを行う際には、第２試薬テーブル１２が図５の矢印Ｇ方向（反時計回り）に回転されながら、最初に位置情報（ホルダ番号）を識別するためのバーコード３２１ｂを読み取る。その後、詳細識別情報を識別するためのバーコード３００ａまたは容器無し情報を識別するためのバーコード３２１ｃを読み取り、その後、位置情報を表すバーコード３２２ｂを読み取る。このように、位置情報（ホルダ番号）（バーコード３２１ｂ〜３２６ｂ）と位置情報に対応する詳細識別情報（バーコード３００ａ）または容器無し情報（バーコード３２１ｃ〜３２６ｃ）とを交互に読み取っていく。なお、詳細識別情報には、容器種類情報、試薬ＩＤおよびロット番号が含まれている。
【０１６０】
また、第１試薬容器ラック３１０、および、第１試薬容器ラック３１０に保持されている試薬容器３００のバーコード３００ａ、３１１ｂ〜３１２ｂまたは３１１ｃ〜３１２ｃの読み取りの際には、まず、第２試薬テーブル１２の隙間１２ａ（図５参照）がバーコードリーダ３５０と対向する位置に到達するように第２試薬テーブル１２が回転移動される。その後、第１試薬テーブル１１が図５の矢印Ｇ方向（反時計回り）に回転されながら、バーコードリーダ３５０が、隙間１２ａ（図５参照）を介して、上記第２試薬容器ラック３２０および第２試薬容器ラック３２０に保持されている試薬容器３００のバーコード３００ａの読み取りの場合と同様に、位置情報（ホルダ番号）（バーコード３１１ｂ〜３１２ｂ）と位置情報に対応する詳細識別情報（バーコード３００ａ）または容器無し情報（バーコード３１１ｃ〜３１２ｃ）とを交互に読み取っていく。また、読み取られた位置情報と、位置情報（ホルダ番号）に対応する詳細識別情報または容器無し情報とは、制御部５０１に送られてＲＡＭ５０１ｃに記憶される。
【０１６１】
次に、ステップＳ４８において、制御部５０１によって、ＲＡＭ５０１ｃに記憶されたバーコード読取情報は、制御部４ａに送信される。
【０１６２】
制御部５０１から制御部４ａにバーコード読取情報が送信されると、図１９に示すステップＳ３４において、制御部４ａによって、バーコード読取情報を受信したか否かが判断される。ステップＳ３４において、バーコード読取情報の受信が行われた判断された場合には、ステップＳ３５において、バーコード読取情報がハードディスク４０１ｄに記憶され、ステップＳ３６に進む。ステップＳ３６において、制御部４ａによって、ハードディスク４０１ｄに記憶されたバーコード読取情報（（位置情報）ホルダ番号、試薬ＩＤおよび容器種類情報など）に基づいて、前述した試薬マスタ、試薬ロットマスタおよび容器マスタを参照して、交換された試薬を保持する試薬ラック中の試薬全てについて、試薬名、容器の種類、ロット番号および有効期限などの詳細情報を取得する。そして、ステップＳ３６において、位置情報と、取得した試薬名、容器の種類、ロット番号および有効期限などの詳細情報とは、制御部４ａによって、試薬管理画面４１０の第１試薬マーク４２１、第２試薬マーク４２２または試薬未配置マーク４２７と試薬詳細表示領域４３０とに反映される（図１０参照）。このとき、交換された試薬は残量が不明であるため、残量インジケータは、所定の色（灰色）に表示される。
【０１６３】
図２１は、図２７に示すフローチャートのステップＳ３において実行される制御部５０１の分注処理の詳細を説明するためのフローチャートである。次に、図３、図５および図２１を参照して、本実施形態による試料分析装置１の制御部５０１の分注処理フローを説明する。
【０１６４】
まず、図２１に示すステップＳ５１において、制御部５０１によって、検体バーコードリーダ３ｃが制御されることにより、搬送機構部３によって搬送された検体を収容する試験管２５０に貼付されたバーコードが読み取られる。そして、ステップＳ５２において、制御部５０１によって、読み取られたバーコード情報に基づいてオーダが取得され、ステップＳ５３に進む。ステップＳ５３において、制御部５０１によって、第１試薬テーブル１１または第２試薬テーブル１２の試薬交換ステータスがオンにセットされているか否かが判断される。この処理は、制御部５０１が試薬交換対象テーブルの駆動回路が内蔵するステータスレジスタを確認することによって行われる。ステップＳ５３において、第１試薬テーブル１１および第２試薬テーブル１２のいずれか一方の試薬交換ステータスがオンにセットされていると判断された場合には、ステップＳ５４に進む。また、ステップＳ５３において、いずれの試薬交換ステータスもオンにセットされていないと判断された場合には、ステップＳ５６に進む。ここで、オーダについて以下に説明する。オーダとは、検体を特定する情報に対応付けられた分析項目を含む情報である。オーダは、制御装置４に接続されたホストコンピュータ（図示せず）に登録されたり、制御装置４にユーザがマニュアル入力することで記憶されるようになっている。検体のバーコード情報を取得した後、制御装置４は、内部に記憶しているオーダから該当するものを検索したり、ホストコンピュータへ検体ＩＤをキーとして問い合わせたりすることでオーダを取得する。制御装置４で取得されたオーダは、制御装置４の制御部４ａから測定機構部２の制御部５０１へ送信され、制御部５０１はオーダを取得する。
【０１６５】
次に、ステップＳ５６において、制御部５０１によって、オーダに従って検体分注駆動部７０ａが制御され、検体分注アーム７０によって、搬送機構部３により搬送された試験管２５０に収容される検体が吸引されるとともに、吸引された検体をキュベット搬送テーブル６１のキュベット保持部６２に保持されたキュベット２００内に分注される。そして、ステップＳ５７において、制御部５０１によって、試薬分注駆動部１２０ａが制御され、試薬分注アーム１２０によって、試薬保存部６の外壁部２０の穴部２２ａ、２２ｂまたは２２ｃ（図３参照）を介して試薬の吸引が行なわれ、吸引された試薬は、加温が完了したキュベット２００に分注される。なお、ステップＳ５７において、図２３に示すように、試薬分注アーム１２０のピペット部１２１が試薬を吸引するための初期位置（高さＨ１）から下方に移動する。このピペット部１２１は、ステッピングモータで駆動され、ステッピングモータに１パルス入力される毎に移動距離Ｄ移動される。そして、試薬の液面にピペット部１２１の先端に設けられたセンサによって試薬の液面が検知される。また、センサが試薬の液面を検知したときの液面検知情報のひとつであるパルス数Ｐが取得される。
【０１６６】
次に、ステップＳ５３において、制御部５０１によって、第１試薬テーブル１１および第２試薬テーブル１２のいずれか一方の試薬交換ステータスがオンにセットされていると判断された場合には、ステップＳ５４において、取得したオーダで指定された試薬分析項目が試薬交換対象テーブルの試薬を使用するか否かが判断される。ステップＳ５４において、取得したオーダで指定された試薬分析項目が試薬交換対象テーブルの試薬を使用しないと判断された場合には、ステップＳ５６、Ｓ５７に進み、前述した処理が行われる。また、取得したオーダで指定された分析項目が試薬交換対象テーブルの試薬を使用すると判断された場合には、ステップ５５において、取得したオーダを保留する。そして、取得したオーダで指定された試薬分析項目が試薬交換対象テーブルの試薬を使用しないと判断されるまで、ステップＳ５１〜ステップＳ５５が繰り返される。なお、保留されたオーダは、取得したオーダで指定された試薬分析項目が試薬交換対象テーブルの試薬を使用しないと判断された場合には、順番にステップＳ５６、Ｓ５７の処理が実行される。
【０１６７】
本実施形態では、このようにして試薬の交換が行われる。
【０１６８】
なお、上記説明では、試薬を交換する場合を説明したが、試薬を追加する場合は、図２７に示すステップＳ２１において、追加する試薬を配置する保持部３１１、３１２または３２１〜３２６に対応する試薬未配置マーク４２７の指定が行われる。以下に試薬を追加する場合の試薬表示領域の指定の詳細を説明する。すなわち、ユーザは、図７に示した試薬管理画面４１０の試薬配置表示領域４２０によって試薬の配置を確認する。そして、試薬未配置マーク４２７（たとえば、図７の「Ａ１４−１」、「Ｂ１４−２」など）の中から、追加する試薬を保持させる試薬容器ラックの保持部に対応する試薬未配置マーク４２７を直接手で触れて指定する。ステップＳ２１において、試薬未配置マーク４２７が指定された状態で、ユーザが交換・追加ボタン４４０ａを押すことにより、追加する試薬の追加の指示が完了する。この後、図１９に示すステップＳ３１〜ステップＳ３７、図２０に示すステップＳ４１〜ステップＳ４８および図２１に示すステップＳ５１〜ステップＳ５７と同様の動作を経ることによって試薬の追加が行われる。
【０１６９】
図２２は、図２７に示すフローチャートのステップＳ１５において実行される制御部４ａの試薬残量算出処理の詳細を説明するためのフローチャートである。図２３は、試薬の残量の算出方法を説明するための図である。図２４は、試薬の残量と残量インジケータの色との対応関係を説明するための図である。次に、図１０および図２２〜図２４を参照して、試薬マークの残量インジケータにおける試薬の残量を算出する処理について説明する。
【０１７０】
まず、図２２に示すステップＳ６１において、制御部４ａによって、受信した液面検知情報に基づいて、液面の高さを算出する。なお、液面検知情報には、前述した液面を検知したときのパルス数Ｐと距離Ｄとを含む。また、制御部４ａによって、容器マスタが参照され、容器ＩＤに基づいて試薬容器が特定され、特定された試薬容器の水平方向の内面積Ｓが取得される。また、試薬マスタが参照され、試薬ＩＤに基づいて試薬名が取得される。そして、制御部４ａによって、以下の式（１）によって液面の高さＨが求められる。
Ｈ（液面の高さ）  ＝  Ｈ１（初期位置の高さ）  −  Ｐ（パルス数）×Ｄ（１パルスの移動距離）・・・（１）
【０１７１】
次に、ステップＳ６２において、取得した試薬容器の内面積Ｓと取得した試薬の液面の高さＨとにより、制御部４ａによって、以下の式（２）によって、試薬の残量Ｔが算出される。
Ｔ（残量）  ＝  Ｈ（液面の高さ）×Ｓ（試薬容器の内面積）・・・（２）
【０１７２】
次に、ステップＳ６３において、制御部４ａによって、試薬の残量Ｔが測定中止残量Ｔ１以下であるか否かが判断される。図２４に示すように、試薬の残量Ｔが測定中止残量Ｔ１以下である場合には、ステップＳ６４において、試薬の残量がないことを示す第１試薬残量をハードディスク４０１ｄに記憶する。また、試薬の残量Ｔが測定中止残量Ｔ１より多い場合には、ステップＳ６５において、試薬の残量Ｔが警告残量Ｔ２以下であるか否かが判断される。
【０１７３】
図２４に示すように、試薬の残量Ｔが警告残量Ｔ２以下である場合には、ステップＳ６６において、試薬の残量が少ないことを示す第２試薬残量をハードディスク４０１ｄに記憶する。また、ステップＳ６７において、試薬の残量Ｔが警告残量Ｔ２より多い場合には、試薬の残量が十分にあることを示す第３試薬残量をハードディスク４０１ｄに記憶する。
【０１７４】
測定が行われる毎に、上記ステップＳ６１〜６７が繰り返される。なお、前述したように、第１試薬残量に対して残量インジケータは赤色に表示され、第２試薬残量に対して残量インジケータは黄色に表示され、第３試薬残量に対して残量インジケータは表示されない。このように、算出された試薬残量に基づいて、残量インジケータに試薬残量を色表示することにより、ユーザは容易に試薬の残量を認識できる。
【０１７５】
図２５は、図２７に示すフローチャートのステップＳ２２において実行される制御部４ａの試薬詳細情報表示処理の詳細を説明するためのフローチャートである。次に、図２５を参照して、試薬の詳細情報が試薬詳細情報表示領域に表示される処理フローについて説明する。
【０１７６】
まず、ステップＳ７１において、制御部４ａによって、試薬マスタ、試薬ロットマスタおよび容器マスタにそれぞれ登録された試薬設定情報、試薬ロット設定情報および容器設定情報をハードディスク４０１ｄから読み出す。
【０１７７】
そして、ステップＳ７２において、制御部４ａによって、ハードディスク４０１ｄに記憶されたバーコード読取情報に基づいて「ホルダ番号」、「試薬名」、「攪拌の有無」「試薬ロット番号」、「有効期限」および「容器種類」が特定される。具体的には、試薬容器ラックのバーコードの位置情報から「ホルダ番号」が特定される。また、試薬ＩＤと、試薬設定情報とが照合されて、「試薬名」および「攪拌の有無」が特定される。また、試薬ロット番号と、試薬ロット設定情報とが照合されて、「試薬ロット番号」および「有効期限」が特定される。また、容器ＩＤと、容器設定情報とが照合されて、「容器種類」が特定される。また、測定に使用された試薬については、上記のように、試薬の残量が算出されるので、算出された試薬の残量から「使用可能量」および「残テスト数」が特定される。なお、試薬が交換されてから一度も測定に使用されていない場合には、「使用可能量」および「残テスト数」は、算出されない。また、「セット日」および「セット時刻」は、バーコードの読み取りが行われた日時により特定される。なお、バーコード読取情報は、試薬交換または追加のとき取得されたものであり、ハードディスク４０１ｄに記憶されている。
【０１７８】
そして、ステップＳ７３において、上記ステップＳ７２で特定された詳細情報が試薬詳細情報表示領域に表示される。なお、試薬が交換されてから一度も測定に使用されていない場合には、「使用可能量」および「残テスト数」は、表示されない。
【０１７９】
図２６は、図２７に示すフローチャートのステップＳ２６において実行される制御部４ａの試薬情報編集処理の詳細を説明するためのフローチャートである。次に、図１１および図２６を参照して、試薬詳細情報表示領域に表示される詳細情報の編集の処理フローについて説明する。
【０１８０】
まず、ステップＳ８１において、試薬情報編集ボタン４４０ｂが押下されたか否かが判断される。試薬情報編集ボタン４４０ｂが押下されない場合には、この判断が繰り返される。また、試薬編集ボタン４４０ｂが押下された場合には、図１１に示すように、ステップＳ８２において、表示部４ｂに試薬情報編集ダイアログ４５０が表示される。この試薬情報編集ダイアログ４５０において、ユーザは、詳細情報の編集を行う。
【０１８１】
次に、ステップＳ８３において、制御部４ａによって、キャンセルボタン４５３が押下されたか否かが判断される。キャンセルボタン４５３が押下された場合には、ステップＳ８４において、試薬情報編集ダイアログ４５０が閉じられるとともに、元の詳細情報が試薬詳細情報表示領域４３０に表示される。また、キャンセルボタン４５３が押下されない場合は、ステップＳ８５において、更新ボタン４５２が押下されたか否かが判断される。更新ボタン４５２が押下されない場合は、この判断が繰り返される。また、更新ボタン４５２が押下された場合には、ステップＳ８６において、試薬情報編集ダイアログ４５０が閉じられるとともに、編集された詳細情報が試薬情報表示領域４３０に反映される。
【０１８２】
本実施形態では、上記のように、試薬配置表示領域４２０に表示された試薬マークを指定することにより、指定した試薬マークに対応する試薬の詳細情報のみを試薬詳細情報表示領域４３０に表示させることができる。これにより、試薬詳細情報表示領域４３０を試薬の個数分設ける必要がないので、試薬詳細情報表示領域４３０が試薬管理画面４１０に占める割合を一定の大きさにすることができる。このため、多数の試薬を配置する場合に、試薬配置部６に配置された試薬の詳細情報を容易に表示することができる。
【０１８３】
また、本実施形態では、上記のように、複数の試薬容器ラックにそれぞれ収納された各試薬の配置状態に対応して、ラックマークおよび各試薬マークを表示することによって、ユーザは、複数の試薬容器ラックに収容されている試薬の配置を、表示部４ｂで確認することができる。これにより、ユーザは、より容易に試薬の管理を行うことができる。
【０１８４】
また、本実施形態では、上記のように、試薬配置表示領域４２０において、指定された試薬マークの試薬名表示部の試薬名に対する背景を、たとえば、青色に表示し、指定されていない試薬マークの試薬名表示部の試薬名に対する背景を、たとえば、白色に表示することによって、ユーザは、現在指定している試薬を、指定している試薬以外の試薬に対して、容易に識別することができる。
【０１８５】
また、本実施形態では、上記のように、試薬の残量Ｔが測定中止残量Ｔ１または警告残量Ｔ２以下になった時に、試薬に対応する試薬マークに試薬の残量Ｔが測定中止残量Ｔ１または警告残量Ｔ２以下であることを警告表示することによって、ユーザは、試薬の残量Ｔが測定中止残量Ｔ１または警告残量Ｔ２以下になったことを表示部４ｂにおける警告表示により認識することができる。
【０１８６】
また、本実施形態では、上記のように、試薬の残量Ｔが測定中止残量Ｔ１以下である場合には、残量インジケータを所定の色（たとえば、赤色）に表示し、試薬の残量が警告残量Ｔ２である場合には、残量インジケータを所定の色（たとえば、黄色）に表示することによって、ユーザは、色の違いにより、試薬残量の違いを認識することができる。
【０１８７】
また、本実施形態では、上記のように、試薬マークに、バーコードから読み取った試薬の位置情報（ホルダ番号）を表示することによって、ユーザは、試薬がどの試薬容器ラックのどの収納位置に配置されているのかを正確に知ることができる。
【０１８８】
また、本実施形態では、上記のように、試薬配置表示領域４２０において試薬マークを指定することにより、指定した試薬マークに対応する試薬のロット番号および有効期限を試薬詳細情報表示領域４３０において確認することができる。これにより、ユーザは、たとえば、試薬の交換時期などを判断することができる。
【０１８９】
また、本実施形態では、上記のように、試薬配置表示領域４２０において試薬マークを指定することにより、指定した試薬マークに対応する試薬の残テスト数と、セット日およびセット時刻とを試薬詳細情報表示領域において確認することができる。これにより、ユーザは、たとえば、試薬の交換時期などを判断することができる。
【０１９０】
また、本実施形態では、上記のように、第１試薬テーブル１１および第２試薬テーブル１２を各試薬を環状に配置可能に構成し、試薬配置表示領域４２０に、第１試薬テーブル１１および第２試薬テーブル１２における試薬の環状の配置に対応して、試薬マークを環状に表示することによって、ユーザは、容易に、試薬の配置を認識することができる。
【０１９１】
また、本実施形態では、上記のように、試薬管理画面４１０の試薬配置表示領域４２０において試薬を指定した後、同じ試薬管理画面４１０において、交換・追加ボタン４４０ａにより、試薬の交換を行うことができる。これにより、ユーザは、容易に、試薬の交換を行うことができる。
【０１９２】
また、本実施形態では、上記のように、試薬管理画面４１０の試薬詳細情報表示領域４３０に表示される試薬の詳細情報を、同じ試薬管理画面４１０の操作手段表示領域４４０に表示される試薬情報編集ボタン４４０ｂにより編集することができる。これにより、ユーザの利便性を向上させることができる。
【０１９３】
また、本実施形態では、上記のように、試薬情報編集ボタン４４０ｂを押すことにより表示される試薬情報編集ダイアログ４５０によって、ユーザは、試薬の詳細情報を容易に編集することができる。
【０１９４】
また、本実施形態では、上記のように、試薬の交換時において、ユーザが第１試薬テーブル１１または第２試薬テーブル１２に配置された試薬を取り出すことが可能な取出可能状態では、指定した試薬マークを含むラックマークを所定の色（たとえば、緑色）に表示する。また、交換・追加ボタン４４０ａを押下してから取出可能状態になるまでの待機状態には、指定した試薬マークを含むラックマークを所定の色（たとえば、黄色）に表示する。これにより、ユーザは、取出可能状態と待機状態とを表示部４ｂの試薬管理画面４１０により判断することができるので、容易に試薬の交換を行うことができる。
【０１９５】
また、本実施形態では、上記のように、試薬未配置マークを指定して、交換・追加ボタンを押下することにより、試薬配置部のうち試薬が配置されていない部分に試薬を追加することができる。
【０１９６】
また、本実施形態では、上記のように、試薬管理画面４１０において、攪拌が必要な試薬が、攪拌のできない位置に配置されている場合には、対応する試薬マークに誤配置マークＢを表示する。また、有効期限が切れた試薬に対応する試薬マークには、有効期限切れマークＣを表示する。また、試薬のセット日およびセット時刻から所定の時間（たとえば、８時間）経過した試薬の試薬マークには、安定時間切れマークＤを表示する。これにより、ユーザは、分析に使用することに問題がある試薬を、試薬管理画面４１０により確認することができる。これにより、分析に使用することに問題がある試薬を新しい試薬と交換するなどの試薬の管理を容易に行うことができる。
【０１９７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１９８】
たとえば、上記実施形態では、試薬マークに位置情報（ホルダ番号）と、試薬名と、残量インジケータとを表示した例を示したが、本発明はこれに限らず、試薬名のみを表示するように構成してもよい。
【０１９９】
また、上記実施形態では、指定されている試薬マークの色を変えることにより指定されている試薬マーク以外の試薬マークと識別可能に構成した例を示したが、本発明はこれに限らず、たとえば、指定されている試薬マークの形状または大きさを変えるように構成してもよい。
【０２００】
また、上記実施形態では、試薬の残量が少なくなった場合に、残量インジケータによって試薬の残量を警告表示した例を示したが、本発明はこれに限らず、試薬の残量が十分ある場合にも残量インジケータを表示するように構成してもよい。
【０２０１】
また、上記実施形態では、残量インジケータの色を、試薬の残量Ｔが警告残量Ｔ２以下である場合に黄色に表示し、測定中止残量Ｔ１以下の場合に赤色に表示する例を示したが、本発明はこれに限らず、黄色および赤色以外の色によって表示してもよい。また、試薬の残量によって残量インジケータの色を変えるだけではなく、残量インジケータの形、図柄などを変えるように構成してもよい。
【０２０２】
また、上記実施形態では、試薬マークの試薬名表示部に試薬名を表示する構成の例を示したが、本発明はこれに限らず、試薬マークの近傍に試薬名を表示する構成にしても良い。
【０２０３】
また、上記実施形態では、マークとして文字と図形を組み合わせたアイコンを指定可能に表示部に表示するように例を示したが、本発明はこれに限らず、マークとしてボタンを表示部に表示するようにしても良い。例えば、矩形内部に文字だけから構成されたボタンを使用可能である。
【０２０４】
また、上記実施形態では、表示部は、タッチパネル機能を有し、試薬管理画面に表示されるボタンなどをユーザが直接触れることによって選択または操作可能な例を示したが、本発明はこれに限らず、キーボードまたはマウスによって試薬管理画面に表示されるボタンなどを指定することによって選択または操作可能な構成にしても良い。
【図面の簡単な説明】
【０２０５】
【図１】本発明の一実施形態による試料分析装置の全体構成を示す斜視図である。
【図２】図１に示した試料分析装置の平面図である。
【図３】本発明の一実施形態による試料分析装置の測定機構部を示す平面図である。
【図４】本発明の一実施形態による試料分析装置の測定機構部および試薬保存部の内部を示す斜視図である。
【図５】図４に示した測定機構部および試薬保存部の内部を示す平面図である。
【図６】本発明の一実施形態による試料分析装置の制御装置を示すブロック図である。
【図７】本発明の一実施形態による制御装置の表示部に表示される試薬管理画面を示す図である。
【図８】本発明の一実施形態による制御装置の表示部に表示される試薬管理画面を示す図である。
【図９】本発明の一実施形態による制御装置の表示部に表示される試薬管理画面を示す図である。
【図１０】本発明の一実施形態による制御装置の表示部に表示される試薬管理画面を示す図である。
【図１１】本発明の一実施形態による制御装置の表示部に表示される試薬情報編集ダイアログを示す図である。
【図１２】本発明の一実施形態による制御装置の表示部に表示される試薬ロット使用設定ダイアログを示す図である。
【図１３】一実施形態による第１試薬容器ラックを示す斜視図である。
【図１４】一実施形態による第２試薬容器ラックを示す斜視図である。
【図１５】図１３に示した第１試薬容器ラックに試薬容器が保持された状態を示す斜視図である。
【図１６】図１４に示した第２試薬容器ラックに試薬容器が保持された状態を示す斜視図である。
【図１７】本発明の一実施形態による試料分析装置のブロック図である。
【図１８】本発明の一実施形態による試料分析装置の測定機構部の制御部のブロック図である。
【図１９】本発明の一実施形態による試料分析装置の制御装置の制御部による試薬交換処理を説明するためのフローチャートである。
【図２０】本発明の一実施形態による試料分析装置の測定機構部の制御部による試薬交換処理を説明するためのフローチャートである。
【図２１】本発明の一実施形態による試料分析装置の測定機構部の制御部による分注処理を説明するためのフローチャートである。
【図２２】本発明の一実施形態による試料分析装置の試薬管理画面における試薬の残量を表示する処理を説明するためのフローチャートである。
【図２３】試薬の残量の算出方法を説明するための概念図である。
【図２４】試薬の残量と残量インジケータの色との対応関係を説明するための概念図である。
【図２５】試薬の詳細情報が試薬詳細情報表示領域に表示される処理を説明するためのフローチャートである。
【図２６】試薬詳細情報表示領域に表示される試薬の詳細情報を編集する処理を説明するためのフローチャートである。
【図２７】本発明の一実施形態による試料分析装置の制御装置の制御部と測定機構部の制御部とによる測定処理を説明するためのフローチャートである。
【符号の説明】
【０２０６】
１              試料分析装置
４ａ            制御部（制御表示部）
４ｂ            表示部
１１            第１試薬テーブル（試薬配置部）
１２            第２試薬テーブル（試薬配置部）
３００          試薬容器
３１０          第１試薬容器ラック（試薬容器ラック）
３２０          第２試薬容器ラック（試薬容器ラック）
４１０          試薬管理画面
４２０          試薬配置表示領域
４２１          第１試薬マーク（試薬マーク）
４２２          第２試薬マーク（試薬マーク）
４２７          試薬未配置マーク
４３０          試薬詳細情報表示領域
４４０          操作手段表示領域
４４０ａ        交換・追加ボタン（第１マーク）
４４０ｂ        試薬情報編集ボタン（第２マーク）
４５０          試薬情報編集ダイアログ（編集画面）
【図１】
2008070115.tif 000003
【図２】
2008070115.tif 000004
【図３】
2008070115.tif 000005
【図４】
2008070115.tif 000006
【図５】
2008070115.tif 000007
【図６】
2008070115.tif 000008
【図７】
2008070115.tif 000009
【図８】
2008070115.tif 000010
【図９】
2008070115.tif 000011
【図１０】
2008070115.tif 000012
【図１１】
2008070115.tif 000013
【図１２】
2008070115.tif 000014
【図１３】
2008070115.tif 000015
【図１４】
2008070115.tif 000016
【図１５】
2008070115.tif 000017
【図１６】
2008070115.tif 000018
【図１７】
2008070115.tif 000019
【図１８】
2008070115.tif 000020
【図１９】
2008070115.tif 000021
【図２０】
2008070115.tif 000022
【図２１】
2008070115.tif 000023
【図２２】
2008070115.tif 000024
【図２３】
2008070115.tif 000025
【図２４】
2008070115.tif 000026
【図２５】
2008070115.tif 000027
【図２６】
2008070115.tif 000028
【図２７】
2008070115.tif 000029